(57)【特許請求の範囲】
【請求項１】
所定の設置部位に設置される外枠と、
前記外枠に開閉可能な状態に装着される中枠と、
前記中枠の前面部に開閉可能な状態に装着されるガラス扉枠と、
前記中枠の前面部のうちで前記ガラス扉枠の装着部位の下方の部位に開閉可能な状態に装着される受皿扉部材と、
を有する遊技機の前記中枠に取着され、前記ガラス扉枠及び前記受皿扉部材を前記中枠に施錠するとともに、
前記中枠に固定される支持体と、
前記ガラス扉枠に設けられた第１の被係合部に下方から当接する状態に係合して前記ガラス扉枠を前記中枠に施錠する第１の係合部と、
前記受皿扉部材に設けられた第２の被係合部に下方から当接する状態に係合して前記受皿扉部材を前記中枠に施錠する第２の係合部と、
軸心を前後方向に向けた錠軸と、該錠軸に一体回動可能な状態で固定される押圧部材とを具備し、該押圧部材が該錠軸に直交する面に沿って斜め上方に向かって突出して該錠軸の回動に伴って該錠軸の軸心周りに回動する押圧突起を有する錠部材と、
を備え、鉤を用いて前記錠軸を一の方向に回転させ、前記押圧突起の上り傾斜角を小さくする方向に回転させる解錠用回転動作を、前記押圧突起に施すことで、前記第１の係合部の前記第１の被係合部への係合を解除する解錠操作、及び、前記第２の係合部の前記第２の被係合部への係合を解除する解錠操作が施される施錠装置であって、
前記第１の係合部が一体化され、前記支持体に対して下降動作可能な状態に支持されるとともに、前記押圧突起の前記解錠用回転動作の動作経路途中における第１の配置位置に配置される第１の受圧部が、前記解錠用回転動作を行う前記押圧突起によって下方に押圧されることで下降動作を行い、前記第１の係合部を一体で下方に動作させることで、前記第１の係合部の前記第１の被係合部への係合を解除する、第１の錠操作伝達部と、
前記第２の被係合部が一体化され、前記支持体に対して下降動作可能な状態に支持され、第２の受圧部を備えるとともに、該第２の受圧部が前記押圧突起の前記解錠用回転動作の動作経路途中における第２の配置位置に配置された状態で前記解錠用回転動作を行う前記押圧突起によって下方に押圧されることで下降動作を行い、前記第２の係合部を一体で下方に動作させることで、前記第２の係合部の前記第２の被係合部への係合を解除する、第２の錠操作伝達部と、
を備え、
前記第２の錠操作伝達部は、
前記第２の係合部を有するとともに前記支持体に下降動作可能な状態に支持される係合機能部と、
前記第２の受圧部を有するとともに前記係合機能部の上端側に設けられた傾動支点部において下端側が支持されて後方への傾動を実行可能な状態とされ、前記第２の受圧部の位置を前記第２の配置位置に維持しつつ構成される基本姿勢と、前記後方への傾動を実行して前記第２の受圧部の配置位置を、前記解錠用回転動作の動作経路の外側の退避位置に変更しつつ構成される傾動姿勢と、の間で、姿勢変更可能とされる動作選択部と、
前記動作選択部の姿勢が、前記基本姿勢となるように前記動作選択部を付勢する付勢手段と、
を具備し、
前記ガラス扉枠を閉鎖状態とすると、前記ガラス扉枠、若しくは、前記ガラス扉枠に配設された規制用部材によって、前記動作選択部が後方に押圧され、前記動作選択部の姿勢が前記傾動姿勢に姿勢変更されることを特徴とする施錠装置。
【請求項２】
請求項１に記載の施錠装置を備えることを特徴とする遊技機。
【発明の詳細な説明】
【技術分野】
【０００１】
本発明は、施錠装置及び遊技機に関し、特に、いわゆるセブン機、羽根物、権利物又はアレンジボール等の弾球遊技機に適用されるものである。
【背景技術】
【０００２】
弾球遊技機は、通常、（１）パチンコホールの島設備の設置部位に固定される外枠と、（２）この外枠の左右方向に沿った一側に開閉自在に取り付けられ上部に開口部が形成された中枠と、（３）中枠の開口部に着脱自在に取り付けられる遊技盤と、（４）遊技盤の前面部を覆うガラス板を具備するガラス扉枠（前面枠）と、（５）中枠の前面部のうちで遊技盤の装着位置よりも下方側の部位に開閉自在に取り付けられると共に、遊技機内から排出される遊技球を貯留するための上皿部を備える受皿扉部材と、を備えている。
【０００３】
遊技盤の前面部には、「外側レールと内側レールとを備えるレール部材」が前方に突出する状態に配置され、このレール部材を用いて遊技領域の略円形の外縁部（外周壁）を構成している。つまり、遊技盤の前面部には、（Ａ）帯状の金属板を、開口部を下方に向けた略円弧形状（Ｃの字状）としつつ配置して構成される外側レールと、（Ｂ）外側レールの配置箇所の内側において、帯状の金属板を、開口部を上方に向けた略円弧形状（Ｃの字状）としつつ配置して構成される内側レールと、が配設される。
【０００４】
この中枠の前面部の前方には、発射装置と、左上がり傾斜状の発射レールとが配置され、この発射装置から打ち出された遊技球は、この発射レールに沿って上昇する。そして、この発射レールに沿って上昇した遊技球は、遊技盤の左端側において外側レールと内側レールとの間の誘導通路を経て遊技盤の左上部に導かれる。そしてこの遊技球は、内側レールの左上端部と、外側レールの左上端部との間に形成される入口部を通じて、内側レールの略全体と、外側レールの上部側の部分とで取り囲まれた遊技領域内に放出される。また、この遊技領域内においては、最下部にアウト口が設けられ、この最下部よりも上方の位置に各種の入賞装置や、入球ゲート等が配設されている。そして、入口部を通じて遊技領域内に放出された遊技球は、遊技領域に配設された「障害釘」等によって、流下方向を適宜、変更しつつ、入賞装置や入球ゲートに入球するか、或いは、アウト口に到達する。
【０００５】
また、この弾球遊技機が、例えば、セブン機である場合、遊技領域内に、始動入賞装置（始動口）と、大入賞装置と、を配設している。また、この弾球遊技機は、当該遊技機の遊技状態を通常遊技状態から大当り遊技状態（つまり、特別遊技状態）に移行させるか否かの判定（以下、「当否判定」ということがある。）を行う判定手段と、この判定の結果を示す判定結果の確定表示等を行う表示装置（例えば、ランプ装置や液晶表示装置等によって構成）と、を備えている。
【０００６】
この大入賞装置は、通常、入賞口（遊技球の入口となる部分であって、一般には、大入賞口と称されている。）と、入賞口の開閉を行うための開閉部材と、当該入賞口を通じて入賞した遊技球を検出するための入賞球検出手段（入賞球検出スイッチ）と、を具備している。このうち、開閉部材は、通常、略扉状に構成され、遊技盤の前面部に設けられる取付部に取付られている。この開閉部材は、下端部側に傾動支点を設けつつ、前後に傾動可能（回動可能）な状態とされている。この開閉部材は、「入賞口を閉鎖する起立姿勢」及「入賞口を開放する前傾姿勢」の間で適宜、姿勢変更を行うことが可能とされている。そして、この開閉部材の姿勢は、入賞口の開放許容条件の不成立時に起立姿勢とされ、入賞口の開放許容条件の成立時に前傾姿勢とされる。
【０００７】
ここで、「通常遊技状態」とは、入賞口の開放許容条件を継続的に不成立とし、「入賞口の閉鎖状態を継続する遊技状態」を指す。また、「大当り遊技状態」とは、入賞口の開放許容条件を、所定回数に渡って間欠的に成立させ、「入賞口の開放状態を、間欠的に実現させる遊技状態」を指す。また、以下の説明において、開閉部材の姿勢を、起立姿勢から前傾姿勢に変更し、再び、起立姿勢に戻す動作、つまり、入賞口を開閉する動作を、「単位動作」と称することがある。
【０００８】
この種の遊技機では、「始動入賞装置への遊技球の入賞（以下、「始動入賞」という。）」を検出することを前提として、前述の「判定」の実行条件（つまり、判定実行条件）が成立する。更に、この「判定の結果を示す表示（以下、「判定結果表示」という。）」の表示実行条件が成立すると、表示装置において、先ず、演出表示が実行される。そして、この演出表示を所定の変動時間行った後に、表示装置において、判定結果を示す表示が確定表示（停止表示）される。
【０００９】
尚、「判定結果表示」は、例えば、判定結果を示す点灯、判定結果を示す点滅表示、及び、判定結果を示す図柄表示のうちの少なくとも何れかを用いて行われる。また、「判定の結果を示す表示」に先行して実行される「演出表示」は、例えば、（１）複数のランプ装置を順次（交互に）点灯させる点灯表示やランプ装置を用いた点滅表示を利用した変動表示、及び、（２）複数の識別図柄（つまり、特別図柄）を順次、循環表示させて行う変動表示、のうちの少なくとも一方を用いて実行される。更に、セブン機の中には、複数の表示装置を備えると共に、各表示装置において、「判定結果表示」と、それに先行する「演出表示」とを個別に行ったり、単一の表示装置の複数の表示領域において、「判定結果表示」と、それに先行する「演出表示」とを個別に行うものもある。
【００１０】
この表示装置によって、大当り表示がなされると、遊技機の遊技状態が「通常遊技状態」から「大当り遊技状態（特別遊技状態）」に移行する。そして、遊技機の遊技状態が「大当り遊技状態（特別遊技状態）」に移行すると、開閉部材に、所定の回数（所謂、「ラウンド数」であって、例えば、１４〜１６回）に渡って「単位駆動」が施される。尚、この大当り表示は、例えば、「判定結果が大当りであったことを示す点灯表示」、「判定結果が大当りであったことを示す点滅表示」、及び、「判定結果が大当りであったことを示す図柄表示」のうちの少なくとも何れかを用いて実行される。具体的には、例えば、（Ａ）１個若しくは複数個のランプ装置を点灯表示して構成される大当り表示や、（Ｂ）構成図柄をゾロ目状態に表示して構成される大当り図柄（「７，７」や、「７，７，７」等、）を用いて構成される大当り表示等を例示できる。
【００１１】
遊技機の遊技状態が「大当り遊技状態（特別遊技状態）」に移行すると、開閉部材の開放動作を行って、閉鎖状態にある可変入賞装置を開放状態に変化させる。これにより、大入賞口への遊技球の入賞が可能、若しくは、容易となる。この後、この入賞部（大入賞口）に所定個数の遊技球が入賞するか、所定時間が経過することにより、一旦、開閉部材の閉鎖動作を行い、可変入賞装置（大入賞装置）を閉鎖状態とし、開閉部材に施される「１回の単位駆動」を完了する。つまり、開閉部材の姿勢を閉鎖姿勢から開放姿勢に変更し、再び、閉鎖姿勢に戻す、単位駆動を完了する。そして、この「開閉部材の単位駆動」が、所定の回数（所謂、「ラウンド数」）だけ繰り返されると、この遊技機の遊技状態は「大当り遊技状態」から「通常遊技状態」に戻される。
【００１２】
また、この種の遊技機の中には、表示装置及び演出用の可動物のうちの少なくとも一方を用いて、所謂「確率変動表示」がなされることに起因して、表示装置によって、その後、「大当り表示」がなされる確率を高確率（以下、「遊技機の高確率な状態」を、「高確率モード」、「確率変動モード」、「確変モード」、「高確率状態」、「確率変動状態」若しくは「確変状態」等と称することがある。）に変動させるものがある。即ち、遊技機の遊技モードが高確率モードに移行すると、「遊技モードの変更終了条件が成立して遊技機の遊技モードが低確率モード（通常モードの具体例）に戻される迄の間（例えば、次回の大当りを生ずるまで）」、判定手段が大当り判定を行う確率（大当り表示がされる確率）が高確率に設定される。
【００１３】
ところで、この種の遊技機においては、通常、ガラス扉枠（前面枠）及び受皿扉部材が中枠に施錠される。例えば、この種の遊技機の中枠には、「ガラス扉枠用の係合部」と、「受皿扉部材用の係合部」とを備える施錠装置が装着される。そして、「ガラス扉枠用の係合部」を、ガラス扉枠（前面枠）の被係合部に係合することで、ガラス扉枠（前面枠）を中枠に施錠し、「受皿扉部材用の係合部」を、受皿扉部材の被係合部に係合することで、受皿扉部材を中枠に施錠するのが一般的である。
【００１４】
このように、「中枠に対して開閉可能な状態に装着される、２つの扉状部材（つまり、ガラス扉枠及び受皿扉部材）」と、これらの施錠を行う施錠装置と、を備える遊技機の中には、以下の特徴を備えるものがある。つまり、「一方の扉状部材を開放状態にするための操作」に関しては、常時、実行可能であるが、「他方の扉状部材を開放状態にするための操作」に関しては、一方の扉状部材が開放状態である場合に限って実行可能とされる遊技機が存在する。
【００１５】
かかる特徴を備える遊技機として、例えば、「特許文献１」に開示された遊技機（以下、「従来例」という。）を例示できる。この遊技機を構成する施錠装置は、「ガラス扉枠（前面枠）に解錠操作を施すための操作部（以下、「ガラス扉枠用の操作部」という。）」を、遊技機の前方に露呈する状態に備えると共に、「受皿扉部材に解錠操作を施すための操作部（以下、「受皿扉部材用の操作部」）」を、ガラス扉枠の後方（閉鎖状態とされるガラス扉枠の後方）に隠蔽された状態に備えている。このため、「ガラス扉枠用の操作部」については、常時、操作可能であるが、「受皿扉部材用の操作部」については、「ガラス扉枠」が開放状態となった場合に限って操作可能とされている。
【特許文献１】特開平１０−１５１２５４号公報
【発明の開示】
【発明が解決しようとする課題】
【００１６】
しかし、この従来例においては、「受皿扉部材の施錠を解除するための操作（つまり、受皿扉部材を開放状態とするための操作）」を円滑に行うことが困難な場合がある。蓋し、この従来例において、「受皿扉部材の施錠の解除」を行うためには、別位置に存在する、２個の操作部（ガラス扉枠用の操作部と、受皿扉部材用の操作部）に対して、異なる態様の操作を順次、行うことが必要である。しかも、通常時（ガラス扉枠及び受皿扉部材が閉鎖状態にあるとき）には、「受皿扉部材用の操作部」が隠蔽されていると共に、「受皿扉部材用の操作部」の配設位置は、製造メーカが異なる遊技機毎に異なることが予想される。このため、パチンコホールの店員が、「受皿扉部材用の操作部」に操作を施そうと考えても、「受皿扉部材用の操作部」を瞬時に発見することができないことがあるからである。
【００１７】
本発明は、このような問題を解決するためになされたものであり、その目的とするところは、ガラス扉枠及び受皿扉部材の解錠操作を円滑に実行できる施錠装置を提供することである。
【００１８】
本発明の他の目的は、より簡易な構成と操作性とを備える施錠装置を提供することである。
【００１９】
本発明の更に他の目的は、「ガラス扉枠及び受皿扉部材の円滑な解錠操作を実行できる施錠装置」を具備する遊技機を提供することである。
【００２０】
本発明の他の目的は、「より簡易な構成と、操作性とを備える施錠装置」を具備する遊技機を提供することである。
【課題を解決するための手段】
【００２１】
請求項１に記載の施錠装置は、
所定の設置部位に設置される外枠と、
前記外枠に開閉可能な状態に装着される中枠と、
前記中枠の前面部に開閉可能な状態に装着されるガラス扉枠と、
前記中枠の前面部のうちで前記ガラス扉枠の装着部位の下方の部位に開閉可能な状態に装着される受皿扉部材と、
を有する遊技機の前記中枠に取着され、前記ガラス扉枠及び前記受皿扉部材を前記中枠に施錠するとともに、
前記中枠に固定される支持体と、
前記ガラス扉枠に設けられた第１の被係合部に下方から当接する状態に係合して前記ガラス扉枠を前記中枠に施錠する第１の係合部と、
前記受皿扉部材に設けられた第２の被係合部に下方から当接する状態に係合して前記受皿扉部材を前記中枠に施錠する第２の係合部と、
軸心を前後方向に向けた錠軸と、該錠軸に一体回動可能な状態で固定される押圧部材とを具備し、該押圧部材が該錠軸に直交する面に沿って斜め上方に向かって突出して該錠軸の回動に伴って該錠軸の軸心周りに回動する押圧突起を有する錠部材と、
を備え、鉤を用いて前記錠軸を一の方向に回転させ、前記押圧突起の上り傾斜角を小さくする方向に回転させる解錠用回転動作を、前記押圧突起に施すことで、前記第１の係合部の前記第１の被係合部への係合を解除する解錠操作、及び、前記第２の係合部の前記第２の被係合部への係合を解除する解錠操作が施される施錠装置であって、
前記第１の係合部が一体化され、前記支持体に対して下降動作可能な状態に支持されるとともに、前記押圧突起の前記解錠用回転動作の動作経路途中における第１の配置位置に配置される第１の受圧部が、前記解錠用回転動作を行う前記押圧突起によって下方に押圧されることで下降動作を行い、前記第１の係合部を一体で下方に動作させることで、前記第１の係合部の前記第１の被係合部への係合を解除する、第１の錠操作伝達部と、
前記第２の被係合部が一体化され、前記支持体に対して下降動作可能な状態に支持され、第２の受圧部を備えるとともに、該第２の受圧部が前記押圧突起の前記解錠用回転動作の動作経路途中における第２の配置位置に配置された状態で前記解錠用回転動作を行う前記押圧突起によって下方に押圧されることで下降動作を行い、前記第２の係合部を一体で下方に動作させることで、前記第２の係合部の前記第２の被係合部への係合を解除する、第２の錠操作伝達部と、
を備え、
前記第２の錠操作伝達部は、
前記第２の係合部を有するとともに前記支持体に下降動作可能な状態に支持される係合機能部と、
前記第２の受圧部を有するとともに前記係合機能部の上端側に設けられた傾動支点部において下端側が支持されて後方への傾動を実行可能な状態とされ、前記第２の受圧部の位置を前記第２の配置位置に維持しつつ構成される基本姿勢と、前記後方への傾動を実行して前記第２の受圧部の配置位置を、前記解錠用回転動作の動作経路の外側の退避位置に変更しつつ構成される傾動姿勢と、の間で、姿勢変更可能とされる動作選択部と、
前記動作選択部の姿勢が、前記基本姿勢となるように前記動作選択部を付勢する付勢手段と、
を具備し、
前記ガラス扉枠を閉鎖状態とすると、前記ガラス扉枠、若しくは、前記ガラス扉枠に配設された規制用部材によって、前記動作選択部が後方に押圧され、前記動作選択部の姿勢が前記傾動姿勢に姿勢変更されることを特徴とする。
【００２２】
請求項１の発明の施錠装置では、ガラス扉枠及び受皿扉部材が中枠に施錠されると、動作選択部の姿勢が傾動姿勢に変更され、第２の受圧部の位置が退避位置に変更される。このため、錠部材に対して、「ガラス扉枠の施錠を解除するための解錠操作」を施すことは可能であるが、「受皿扉部材の施錠を解除するための解錠操作」を施すことは不可能とされる。つまり、ガラス扉枠及び受皿扉部材が施錠状態にあるときに、錠軸を一の方向に回転させ、押圧部材を一の方向に回転させると、第１の係合部の第１の被係合部への係合を解除することができるが、第２の係合部の第２の被係合部への係合を解除することはできない。換言すると、受皿扉部材の施錠を維持した状態で、ガラス扉枠の施錠を解除することができる。
【００２３】
一方、請求項１の発明の施錠装置において、受皿扉部材の施錠を解除する場合には、以下の操作に従う。先ず、前述のように、錠軸を一の方向に回転させ、押圧部材を一の方向に回転させ、ガラス扉枠の施錠を解除する。そして、ガラス扉枠を開放状態とすると、ガラス扉枠（若しくは、規制用部材）が、動作選択部から離間するため、付勢手段の付勢力を用いて、この動作選択部の姿勢が基本姿勢に戻される。この後、錠軸を、再び、一の方向に回転させ、押圧部材を一の方向に回転させると、第２の係合部の第２の被係合部への係合を解除することができる。つまり、ガラス扉枠及び受皿扉部材が施錠状態にあるときに、先ず、ガラス扉枠の施錠を解除し、ガラス扉枠を開放状態とした後に、錠部材に同様な操作（ガラス扉枠の施錠を解除する際の操作と同様な操作）を施すと、受皿扉部材の施錠を解除することができる。
【００２４】
このように、請求項１の発明の施錠装置では、「同一の錠部材に対して施す同様な操作」によって、ガラス扉枠の施錠の解除と、受皿扉部材の施錠の解除とを順次、を行うことができる。このため、ガラス扉枠の解錠操作と、受皿扉部材の解錠操作とを円滑に実行することができる。
【００２５】
また、請求項１の発明の施錠装置では、遊技機にとって、機能上必要とされる「ガラス扉枠（前面枠）」、若しくは、この「ガラス扉枠（前面枠）に装着される規制部材」を、「受皿扉部材の解錠を規制するための部材」として利用する。しかも、単に、「ガラス扉枠（前面枠）」を開放状態とするだけで、「受皿扉部材の解錠規制」が解除される。よって、請求項１の発明によると、より簡易な構成と、操作性とを備える施錠装置が得られる。
【００２６】
尚、請求項１の発明には、以下のような意義も存在する。即ち、パチンコホールの日常的な営業活動において、「ガラス扉枠（前面枠）が開放状態される頻度」は、「受皿扉部材が開放状態とされる頻度」に比べて高くなる。例えば、「受皿扉部材の後方で生ずる球詰まり（発射装置や発射レールにおける球詰まり）の頻度」に比べて、「ガラス扉枠（前面枠）の後方で生ずる球詰まり（遊技領域内で生ずる球詰まり）の頻度」が高くなるからである。そして、請求項１の発明によると、「ガラス扉枠用の操作部」及び「受皿扉部材用の操作部」の一本化等を通じて施錠装置の構成の簡易化等を図りつつも、「実行頻度の高い、ガラス扉枠（前面枠）の解除操作」の円滑な実行を担保している。
【００２７】
つまり、「ガラス扉枠（前面枠）」等を利用して、動作選択部の姿勢を傾動姿勢に変更すれば、「受皿扉部材の施錠状態」を確実に維持したまま、ガラス扉枠の施錠を解除することができる。換言すると、作業者（パチンコホールの店員）の意に反して、受皿扉部材が不用意に開放状態となり、この作業者の作業（ガラス扉枠を開放するための作業や、遊技領域における球詰まりを解消するための作業等）の邪魔になることを、「動作選択部及び付勢手段を主体とする簡易な構成」によって防止できる。
【００２８】
請求項１の発明と、後述する請求項２の発明においては、動作選択部が、本体部と、この本体部よりも前方に突出する規制用突出部と、を備える構成とされてもよい。この場合、例えば、「ガラス扉枠を閉鎖状態とすると、ガラス扉枠、若しくは、ガラス扉枠に配設された規制用部材によって、規制用突出部が後方に押圧され、動作選択部の姿勢が傾動姿勢に姿勢変更されること」とすることもできる。
【００２９】
請求項１の発明及び請求項２の発明においては、ガラス扉枠の後面部に規制用突起を設けたり、ガラス扉枠の後面部に装着された規制用部材によって規制用突起を構成してもよい。この場合、例えば、「ガラス扉枠を閉鎖状態とすると、規制突起によって、動作選択部が後方に押圧され、動作選択部の姿勢が傾動姿勢に姿勢変更されること」とすることもできる。
【００３０】
請求項１の発明及び請求項２の発明において、「ガラス扉枠によって、動作選択部が後方に押圧される」態様は、（１）扉枠本体（具体的には、扉枠本体の後面部）によって、動作選択部が後方に押圧される態様と、（２）ガラス板（具体的には、ガラス板の後面部である。）によって、動作選択部が後方に押圧される態様と、（３）扉枠本体及びガラス板によって、動作選択部が後方に押圧される態様と、のうちの何れであってもよい。
【００３１】
尚、請求項１の発明及び請求項２の発明において、「規制用部材」は、以下の場合等に用いられる。例えば、ガラス扉枠（ガラス扉枠の後面部）と、中枠（中枠の前面部）との隙間が大きく、ガラス扉枠を閉鎖状態としても、ガラス扉枠（ガラス扉枠の後面部）によって動作選択部を後方に押圧することが困難な場合は、ガラス扉枠（ガラス扉枠の後面部）に別途、配設される。そして、この配設された規制用部材によって動作選択部が後方に押圧される。
【００３２】
本明細書において参考的に開示する第１の参考発明（以下、「参考発明１」という。）の施錠装置は、
所定の設置部位に設置される外枠と、
前記外枠に開閉可能な状態に装着される中枠と、
前記中枠の前面部に開閉可能な状態に装着されるガラス扉枠と、
遊技球を貯留するための受皿部を備えると共に、前記中枠の前面部のうちで前記ガラス扉枠の装着部位の下方の部位に開閉可能な状態に装着される受皿扉部材と、
を有する遊技機の前記中枠に取着され、前記ガラス扉枠及び前記受皿扉部材を前記中枠に施錠するための施錠装置であって、
前記中枠に固定される支持体と、
前記ガラス扉枠に設けられた第１の被係合部に係合して前記ガラス扉枠を前記中枠に施錠する第１の係合部と、
前記受皿扉部材に設けられた第２の被係合部に係合して前記受皿扉部材を前記中枠に施錠する第２の係合部と、
錠軸と該錠軸の回動に伴って動作する押圧部材とを具備し、所定の操作部材を用いて、前記第１の係合部の前記第１の被係合部への係合を解除するための錠操作、及び、前記第２の係合部の前記第２の被係合部への係合を解除するための錠操作が施される錠部材と、
前記支持体に対して動作可能な状態に装着され、第１の受圧部を前記押圧部材に当接可能な状態に具備すると共に、前記錠軸が一の方向に回転して前記押圧部材が一の態様で動作し、前記第１の受圧部が前記押圧部材によって押圧されると、前記第１の係合部を動作させ、前記第１の係合部の前記第１の被係合部への係合を解除する、第１の錠操作伝達部と、
前記支持体に対して動作可能な状態に装着され、第２の受圧部を前記押圧部材に当接可能な状態に具備すると共に、前記錠軸が一の方向に回転して前記押圧部材が一の態様で動作し、前記第２の受圧部が前記押圧部材によって押圧されると、前記第２の係合部を動作させ、前記第２の係合部の前記第２の被係合部への係合を解除する、第２の錠操作伝達部と、
を備え、
前記第１の錠操作伝達部は、
前記第１の受圧部を有すると共に所定の傾動支点部において後方への傾動を実行可能な状態に支持され、前記第１の受圧部の位置を前記押圧部材との当接が可能な当接位置に維持しつつ構成される基本姿勢と、前記後方への傾動を実行して前記第１の受圧部の位置を前記押圧部材との当接が不可能な退避位置に変更しつつ構成される傾動姿勢と、の間で、姿勢変更可能とされる動作選択部と、
前記動作選択部の姿勢が、前記基本姿勢となるように前記動作選択部を付勢する付勢手段と、
を具備し、
前記受皿扉部材を閉鎖状態とすると、前記受皿扉部材、若しくは、前記受皿扉部材に配設された規制用部材によって、前記動作選択部が後方に押圧され、前記動作選択部の姿勢が前記傾動姿勢に姿勢変更されることを特徴とする。
【００３３】
参考発明１の施錠装置では、ガラス扉枠及び受皿扉部材が中枠に施錠されると、動作選択部の姿勢が傾動姿勢に変更され、第１の受圧部の位置が退避位置に変更される。このため、錠部材に対して、「受皿扉部材の施錠を解除するための解錠操作」を施すことは可能であるが、「ガラス扉枠の施錠を解除するための解錠操作」を施すことは不可能とされる。つまり、ガラス扉枠及び受皿扉部材が施錠状態にあるときに、錠軸部を一の方向に回転させ、押圧部を一の態様で動作させると、第２の係合部の第２の被係合部への係合を解除することができるが、第１の係合部の第１の被係合部への係合を解除することはできない。換言すると、ガラス扉枠の施錠を維持した状態で、受皿扉部材の施錠を解除することができる。
【００３４】
一方、参考発明１の施錠装置において、ガラス扉枠の施錠を解除する場合には、以下の操作に従う。先ず、前述のように、錠軸部を一の方向に回転させ、押圧部を一の態様で動作させ、受皿扉部材の施錠を解除する。そして、受皿扉部材を開放状態とすると、受皿扉部材（若しくは、規制用部材）が、動作選択部から離間するため、付勢手段の付勢力を用いて、この動作選択部の姿勢が基本姿勢に戻される。この後、錠軸部を、再び、一の方向に回転させ、押圧部を一の態様で動作させると、第１の係合部の第１の被係合部への係合を解除することができる。つまり、ガラス扉枠及び受皿扉部材が施錠状態にあるときに、先ず、受皿扉部材の施錠を解除し、受皿扉部材を開放状態とした後に、錠部材に同様な操作（受皿扉部材の施錠を解除する際の操作と同様な操作）を施すと、ガラス扉枠の施錠を解除することができる。
【００３５】
このように、参考発明１の施錠装置においても、「同一の錠部材に対して施す同様な操作」によって、ガラス扉枠の施錠の解除と、受皿扉部材の施錠の解除とを順次、を行うことができる。このため、ガラス扉枠の解錠操作と、受皿扉部材の解錠操作とを円滑に実行することができる。
【００３６】
また、参考発明１の施錠装置においても、遊技機にとって、機能上必要とされる「受皿扉部材」、若しくは、この「受皿扉部材に装着される規制部材」を、「ガラス扉枠の解錠を規制するための部材」として利用する。しかも、単に、「受皿扉部材」を開放状態とするだけで、「ガラス扉枠の解錠規制」が解除される。よって、参考発明１によると、より簡易な構成と、操作性とを備える施錠装置が得られる。
【００３７】
参考発明１と、後述する参考発明３においては、第１の錠操作伝達部を動作選択部のみで構成してもよが、動作選択部と他の部分とで構成してもよい。例えば、「動作選択部」が、本体部と、この本体部よりも前方に突出する規制用突出部と、を備える構成とされてもよい。この場合、例えば、「受皿扉部材を閉鎖状態とすると、受皿扉部材、若しくは、受皿扉部材に配設された規制用部材によって、動作選択部が後方に押圧され、動作選択部の姿勢が傾動姿勢に姿勢変更されること」とすることもできる。
【００３８】
参考発明１及び参考発明３においては、受皿扉部材の後面部に規制用突起を設けたり、受皿扉部材の後面部に装着された規制用部材によって規制用突起を構成してもよい。この場合、例えば、「受皿扉部材を閉鎖状態とすると、規制突起によって、動作選択部が後方に押圧され、動作選択部の姿勢が傾動姿勢に姿勢変更されること」とすることもできる。
【００３９】
また、参考発明１及び参考発明３において、「規制用部材」は、以下の場合等に用いられる。例えば、受皿扉部材（受皿扉部材の後面部）と、中枠（中枠の前面部）との隙間が大きく、受皿扉部材を閉鎖状態としても、受皿扉部材（受皿扉部材の後面部）によって動作選択部を後方に押圧することが困難な場合は、受皿扉部材（受皿扉部材の後面部）に別途、配設される。そして、この配設された規制用部材によって動作選択部が後方に押圧される。
【００４０】
ここで、各請求項の発明及び各参考発明の「設置部位」としては、例えば、パチンコホールの島設備に設けられる「設置部位」を例示できる。また、各請求項の発明及び各参考発明の中枠は、遊技盤を保持するための保持部を備えおり、ガラス扉枠は、ガラス板（ガラス扉枠が閉鎖状態とされたときに、中枠で保持された遊技盤の前方に配置されるガラス板である。）と、このガラス板を保持する扉枠本体とを備えている。そして、後者のガラス扉枠において、扉枠本体に、ガラス板を保持するための保持手段は、扉枠本体に対して固定的に装着されても（開閉不可能な状態に装着されても）、開閉可能な状態に装着されてもよい。更に、遊技球を貯留するための受皿部（所謂、「上皿」と称する部分）を備えている。
【００４１】
各請求項の発明及び各参考発明において、「第１の係合部」と、「第１の被係合部」と、「第２の係合部」と、「第２の被係合部」の数は、各々、単数であってもよいし、複数であってもよい。また、「第１の係合部」や「第２の係合部」の形状は特に問わず、例えば、鉤状、フック状等を例示できる。
【００４２】
各請求項の発明において、「第１の錠操作伝達部」を単一の部材を用いて構成してもよいし、複数の部材を連結して構成してもよい。
【００４３】
各請求項の発明において、「押圧部材」としては、錠軸と一体で回動可能とされる「錠カム」を例示できる。そして、このように、「錠カム」によって、「押圧部材」を構成する場合は、錠軸を左右一方の方向（つまり、一の方向）に回転させ、「錠カム」を、錠軸と同方向に回転させ、この「錠カム」で第１の受圧部を押圧すると、「第１の錠操作伝達部」は並進移動する。この場合、「第１の係合部」の動作態様は、「第１の錠操作伝達部」の並進移動に伴って並進移動する態様である。また、「錠カム」で第２の受圧部を押圧すると、「第２の錠操作伝達部」は並進移動する。この場合も、「第２の係合部」の動作態様は、「第２の錠操作伝達部」の並進移動に伴って並進移動する態様である。
【００４４】
本明細書において参考的に開示する第２の参考発明（以下、「参考発明２」という。）の施錠装置は、参考発明１の施錠装置において、
前記外枠に設けられた第３の被係合部に係合して前記中枠を前記外枠に施錠する第３の係合部と、
第３の受圧部を前記押圧部材に当接可能な状態に具備すると共に、前記錠軸が前記一の方向とは異なる他の方向に回転し、前記押圧部材が前記一の態様とは異なる他の態様で動作して前記第３の受圧部が前記押圧部材によって押圧されると、前記第３の係合部を動作させ、前記第３の係合部の前記第３の被係合部への係合を解除する、錠操作中継部と、
を備えることを特徴とする。
【００４５】
参考発明２では、同一の錠部材の同一の操作部を用いて、ガラス扉枠（前面枠）の中枠に対する施錠を解除するための解錠操作と、受皿扉部材の中枠に対する施錠を解除するための解錠操作と、中枠の外枠に対する施錠を解除するための解錠操作と、を選択的に実行できる。このため、例えば、パチンコホール店員等にとって、より利便性の高い施錠装置となる。しかも、「中枠の外枠に対する施錠を解除するために操作部材に加えるべき操作」と、「ガラス扉枠（前面枠）や受皿扉部材に対する施錠を解除するために操作部材に加えるべき操作」と、が異なる態様（前者が、錠軸を一の方向とは異なる他の方向に回転させるための操作で、後者が錠軸を一の方向に回転させるための操作である。）とされるため、「中枠の施錠を解除するための操作」と、「他の操作（ガラス扉枠や受皿扉部材の施錠を解除するための操作）」とを混同することを防止できる。
【００４６】
尚、参考発明２及び後述する参考発明４において、「第３の係合部」と、「第３の被係合部」の数は、各々、単数であってもよいし、複数であってもよい。また、「第３の係合部」の形状は特に問わず、例えば、鉤状、フック状等を例示できる。更に、参考発明２及び後述する参考発明４の「錠操作中継部」を単一の部材を用いて構成してもよいし、複数の部材を連結して構成してもよい。更に、この「錠操作中継部」と「第３の係合部」とが単一部材で構成されてもよい。また、「錠操作中継部」が、「第１の錠操作伝達部」若しくは「第２の錠操作伝達部」を兼任してもよい。
【００４７】
請求項２に記載の遊技機は、
請求項１に記載の施錠装置を備えることを特徴とする。
【００４８】
請求項２の発明の遊技機は、請求項１の発明の「施錠装置」を備える遊技機であり、請求項２の発明によると、請求項１の発明と同様な効果が得られる。
【００４９】
本明細書において参考的に開示する第３の参考発明（以下、「参考発明３」という。）の遊技機は、
所定の設置部位に設置される外枠と、
前記外枠に開閉可能な状態に装着される中枠と、
前記中枠の前面部に開閉可能な状態に装着されるガラス扉枠と、
遊技球を貯留するための受皿部を備えると共に、前記中枠の前面部のうちで前記ガラス扉枠の装着部位の下方の部位に開閉可能な状態に装着される受皿扉部材と、
前記中枠に取着され、前記ガラス扉枠及び前記受皿扉部材を前記中枠に施錠するための施錠装置と、
を備える遊技機であって、
前記施錠装置は、
前記中枠に固定される支持体と、
前記ガラス扉枠に設けられた第１の被係合部に係合して前記ガラス扉枠を前記中枠に施錠する第１の係合部と、
前記受皿扉部材に設けられた第２の被係合部に係合して前記受皿扉部材を前記中枠に施錠する第２の係合部と、
錠軸と該錠軸の回動に伴って動作する押圧部材とを具備し、所定の操作部材を用いて、前記第１の係合部の前記第１の被係合部への係合を解除するための錠操作、及び、前記第２の係合部の前記第２の被係合部への係合を解除するための錠操作が施される錠部材と、
前記支持体に対して動作可能な状態に装着され、第１の受圧部を前記押圧部材に当接可能な状態に具備すると共に、前記錠軸が一の方向に回転して前記押圧部材が一の態様で動作し、前記第１の受圧部が前記押圧部材によって押圧されると、前記第１の係合部を動作させ、前記第１の係合部の前記第１の被係合部への係合を解除する、第１の錠操作伝達部と、
前記支持体に対して動作可能な状態に装着され、第２の受圧部を前記押圧部材に当接可能な状態に具備すると共に、前記錠軸が一の方向に回転して前記押圧部材が一の態様で動作し、前記第２の受圧部が前記押圧部材によって押圧されると、前記第２の係合部を動作させ、前記第２の係合部の前記第２の被係合部への係合を解除する、第２の錠操作伝達部と、
を備え、
前記第１の錠操作伝達部は、
前記第１の受圧部を有すると共に所定の傾動支点部において後方への傾動を実行可能な状態に支持され、前記第１の受圧部の位置を前記押圧部材との当接が可能な当接位置に維持しつつ構成される基本姿勢と、前記後方への傾動を実行して前記第１の受圧部の位置を前記押圧部材との当接が不可能な退避位置に変更しつつ構成される傾動姿勢と、の間で、姿勢変更可能とされる動作選択部と、
前記動作選択部の姿勢が、前記基本姿勢となるように前記動作選択部を付勢する付勢手段と、
を具備し、
前記受皿扉部材を閉鎖状態とすると、前記受皿扉部材、若しくは、前記受皿扉部材に配設された規制用部材によって、前記動作選択部が後方に押圧され、前記動作選択部の姿勢が前記傾動姿勢に姿勢変更されることを特徴とする。
【００５０】
参考発明３の遊技機は、参考発明１の「施錠装置」を備える遊技機であり、参考発明３によると、参考発明１と同様な効果が得られる。
【００５１】
本明細書において参考的に開示する第４の参考発明（以下、「参考発明４」という。）の遊技機は、参考発明３の遊技機において、
前記施錠装置が、
前記外枠に設けられた第３の被係合部に係合して前記中枠を前記外枠に施錠する第３の係合部と、
第３の受圧部を前記押圧部材に当接可能な状態に具備すると共に、前記錠軸が前記一の方向とは異なる他の方向に回転し、前記押圧部材が前記一の態様とは異なる他の態様で動作して前記第３の受圧部が前記押圧部材によって押圧されると、前記第３の係合部を動作させ、前記第３の係合部の前記第３の被係合部への係合を解除する、錠操作中継部と、
を備えることを特徴とする。
【００５２】
参考発明４の遊技機は、参考発明２の「施錠装置」を備える遊技機であり、参考発明４によると、参考発明２と同様な効果が得られる。
【発明の効果】
【００５３】
以上記述したように、請求項１の発明によれば、ガラス扉枠及び受皿扉部材の解錠操作を円滑に実行できる施錠装置が得られる。また、請求項２の発明によると、ガラス扉枠及び受皿扉部材の正当な解錠操作を円滑に実行できる施錠装置を、備える遊技機を得ることができる。
【発明を実施するための最良の形態】
【００５４】
以下、発明を実施するための最良の形態を示す実施例について図面に基づいて説明する。以下に示す各実施例では、各請求項に係る発明を、「セブン機」と称する遊技機（パチンコ機）１に適用した各具体例について説明する。尚、本明細書において、「左」とは、遊技者から見て「左」であることを示し 「右」とは「遊技者から見て「右」であることを示す。また、「前」及び「表」は、「遊技機１を基準とする前方（つまり、遊技者に近接する方向）」を示し、「後」及び「裏」は、遊技機１とする後方前方（つまり、遊技者から離間する方向）」を示す。
【００５５】
（１）機械的な構造
ａ．遊技機の前面側の全体構造
先ず、この遊技機１の全体構造について、図１〜図９を参照して説明する。この遊技機１は、図１及び図２に示すように、外枠２と、この外枠２に装着された遊技機本体Ｈと、を備えている。
【００５６】
このうち、外枠２は、図２及び図３に示すように、パチンコホールの島設備Ｓに設けられた設置部位Ｓ１に固定されると共に、遊技機本体Ｈを支持するためのものである。この外枠２は、略矩形状の枠状体によって構成される外枠本体２１（図３を参照）と、外枠本体２１の前面下部を覆う前板部２２と、を備えている。このうち、外枠本体２１は、上下に一対の水平板２１ａと、左右に一対の立設板２１ｂと、を備えている。そして、両水平板２１ａは、上下に所定の間隔をおいて立設配置されると共に、左右方向に長尺とされている。また、両立設板２１ｂは、左右に所定の間隔をおいて立設配置されると共に、上下方向に長尺とされている。 
【００５７】
両立設板２１ｂは略Ｌ字状の横断面を有しており、両立設板２１ｂの相互に対向する面（以下、「内側面」という。）２１ｃは段差面とされている（図２を参照）。また、両立設板２１ｂの内側面２１ｃの間隔は、その前後方向に沿った中間部よりも後方側の部位（以下、「後方部」という。）２１ｄにおいて段差状に狭くされている。そして、右側に位置する立設板２１ｂの後方部２１ｄにおいて、その上端側と下端側に、取付具２１ｅが装着されている。これらの取付具２１ｅは、略Ｌ字状の横断面を備えると共に、後方部２１ｄの左側方に向かって板状部分２１ｆを突出させている。この板状部分２１ｆは、「第３の被係合部Ｌ３」の具体例を構成する。
【００５８】
遊技機本体Ｈは、図１〜図５を用いて示されるように、外枠２の左端側に回動自在に組み付けてられている。この遊技機本体Ｈは、遊技機１のうちで外枠２を除く部分であって、中枠３と、前面枠（ガラス扉枠）４と、受皿扉部材５、遊技盤１０（図７を参照）と、裏機構盤１０２（図８を参照）等を主要部としている。
【００５９】
中枠３は、全体がプラスチック製であり、図１〜図５を用いて示されるように、外枠２の内側に嵌めこまれ、外枠２に対して開閉可能に軸支されている。また、中枠３の右端側には、施錠装置７００が装着されている（図３を参照）。この施錠装置７００は、図１０〜図１３を用いて示されるように、上下に長尺状とされており、その前面部７００Ａ（図１３を参照）を、中枠３の後面部に当接させた状態で中枠３に装着されている。この施錠装置７０の前面部７００Ａでは、上端部側と中間部とにおいて第１の係合部Ｋ１を前方に突出させ、下端部側において上下一対の第２の係合部Ｋ２を前方に突出させている（図３及び図４を参照）。更に、施錠装置７００の後端部においては、その上端部側と、後端部側において、第３の係合部Ｋ３を後方に突出させている（図２を参照）。尚、施錠装置７００の詳細に関しては後述する。
【００６０】
図４に示すように、中枠３の前面部３ａのうちで下方側の部位には、遊技球を遊技盤１０（図７を参照）に発射する発射装置（図示を省略）と、遊技球を発射ユニットに供給するための球送り装置（図示を省略）と、発射装置から発射された遊技球を外レール１４（後述する。）に向かって誘導する発射レールＹと、遊技状態に応じた効果音その他の音（音声）を発生させるスピーカー４００ａ（図９参照）等が配設されている。尚、発射レールＹは、中枠３の下方側の前面部において、左方向に向かって上がり傾斜状に設けられている。
【００６１】
中枠３の前面部３ａのうちで上方側及び中間側の部位には、遊技盤１０（図７照）が保持されている。そして、遊技盤１０の背面部には、裏機構盤１０２（図８参照）が装着され、この背面部を覆う状態とされている。尚、遊技盤１０及び裏機構盤１０２の詳細に関しては後述する。
【００６２】
図４に示すように、中枠３の右端部において、上方側の部位と、中間側の部位には、各々、貫通孔３ｂ、３ｃが設けられている。これらの貫通孔３ｂ、３ｃは、中枠３の前面部及び後面部を貫通する状態に設けられ、各貫通孔３ｂ、３ｃには、第１の係合部Ｋ１が挿通されている。このため、第１の係合部Ｋ１は、中枠３の前面部において、その右端部の上方側の部位と、中間側の部位とか、前方に突出する状態とされている（図３を参照）。
【００６３】
図４に示すように、中枠３の右端部であって、下方側で上下に並ぶ、２箇所位にも、貫通孔３ｄ、３ｅが設けられている。これらの貫通孔３ｄ、３ｅも、中枠３の前面部及び後面部を貫通する状態に設けられ、各貫通孔３ｄ、３ｅには、第２の係合部Ｋ２が挿通されている。このため、第２の係合部Ｋ２は、中枠３の前面部において、その右端部の下方側の２箇所から前方に突出する状態とされている（図３を参照）。尚、中枠３の裏面部であって、最上部の貫通孔３ｂの背後の部位と、最下部の貫通孔３ｅの背後の部位と、からは、第３の係合部Ｋ３を後方に突出している（図２等を参照）。
【００６４】
中枠３の前面部において、上方から２個目の貫通孔３ｃの下方には、後述する錠部材７７０の前端部が装着される装着部３３ｆが設けられている。この装着部３３ｆは、中枠３の前方に隆起する構造に設けられると共に、錠部材７７０の鉤孔を、前方に露呈させる貫通孔を有している。
【００６５】
前面枠４は、ガラス扉枠の具体例を構成するものであり、図３に示すように、中枠３の前面側に配置され、中枠３の左端に開閉可能に支持されている。この前面枠４は、図５に示すように、扉枠本体４１と、ガラス板４３と、ガラス板４３を扉枠本体４１に保持させる（取り付ける）ための保持部材４４と、を備えている。尚、保持部材４４を扉枠本体４１に対して一体的に設けることもできる。
【００６６】
扉枠本体４１は、プラスチック製を用いて構成され、円形状の開口部４１ａを有している。この開口部４１ａは、扉枠本体４１の前面部及び後面部を貫通する状態に設けられている。そして、前面枠４を閉じた状態としたときに、前面枠４の奥側（背後）に配置される遊技盤１０の盤面を、前方（遊技者の側）から視認可能とするためのものである。つまり、この開口部４１ａは、遊技盤１０に形成された遊技領域１１（図７参照）の形状に対応して、略円周状に開設されている。
【００６７】
図５に示すように、保持部材４４は扉枠本体４１の裏面部に装着されると共に、開口部４１ａを略矩形状の取り囲む部位のうちで、その上辺部を除く部位を配置されている。この保持部材４４は、開口部を上方に向けた略コ字形に形成されている。そして、略コの字形（開口部を上方に向けた）の板状体によって構成される取付部４４ａと、取付部４４ａの後面部から後方に突出する保持本体部４４ｂと、を備えている。
【００６８】
取付部４４ａは、保持部材４４を扉枠本体４１に取り付ける際の取付代を構成する部分である。そして、取付部４４ａの前面部を扉枠本体４１の裏面部に当接させつつ、扉枠本体４１に取り付けられている。また、保持本体部４４ｂは、２つの保持溝４４ｃ、４４ｄを扉枠本体４１の後方に形成するものである。これらの保持溝４４ｃ、４４ｄは、前面枠４の上方に向かって開放されており、これらの保持溝４４ｃ、４４ｄには、前面枠４の上方から、ガラス板４３、４３が挿入されている。これにより、扉枠本体４１の後方には、枚のガラス板４３、４３が配設された状態となっている。
【００６９】
本遊技機１においては、前面枠４を閉じた状態とすると、開口部４１ａと、遊技盤１０の遊技領域１１（後述する。）とが前後方向に位置合わせされる。このため、遊技者は、ガラス板４３、４３を通じて、遊技領域１１を視認することができる。また、図３に示すように、前面枠４の右端部の上下方向に沿った中間部には、凹部４８ｇが形成されている。そして、前面枠４を閉じた状態とすると、この凹部４８ｇに装着部３３ｆが嵌合しつつ、装着部３３ｆの貫通孔が前方に露呈する。尚、本実施例の前面枠（ガラス扉枠）４において、ガラス板４３、４３を直接的に保持する部分（保持部材４４）を、前面枠４の裏面に開閉不可能な状態に装着したが、本実施例と異なり、この部分を、ガラス板４３、４３と一体で開閉可能な状態に装着してもよい。
【００７０】
取付部４４ａにおいて、図３及び図５に示すように、開口部４１ａの右側方に位置する部位（以下、「右側方部位」という。）からは、２つの係合突起４５、４５が突出している。これらの係合突起４５、４５は、第１の被係合部Ｌ１の具体例を構成するものであり、右側方部位の上端部側と、下端部側とから、扉枠本体４１の後方に突出する状態に配設されている（図２を参照）。尚、本明細書において、前面枠４、中枠３、受皿扉部材５等の扉状に開閉可能な部材において、「右」とは、この部材を閉鎖状態にしたときに、遊技者から見て「右」の場合を指し、「左」とは、この部材を閉鎖状態にしたときに、遊技者から見て「左」の場合を指す。
【００７１】
両係合突起４５、４５（第１の被係合部Ｌ１）は、略Ｌ字状の板状体を用いて構成され、突端部を、扉枠本体４１の右側方に向けている。尚、下方に配設される係合突起４５（第１の被係合部Ｌ１）は、請求項１の発明の「規制用部材」としても機能する。
【００７２】
図１に示すように、前面枠４には、各種のＬＥＤ表示部４ｂ、４ｃ、４ｄ、４ｅ、４ｆが設けられ、これらのＬＥＤ表示部４ｂ〜４ｆは、遊技効果を高めること等を目的として、ゲームの進行に応じて点灯及び消灯したり、点滅する。また、前面枠４の前面上方側の中央で左右に並ぶ２個の中上ＬＥＤ表示部４ｆ、４ｆの間には、２個の賞球ＬＥＤ表示部４ｇが設けられている。更に、賞球ＬＥＤ表示部４ｇの上方には、エラーＬＥＤ表示部４ｈが略扇形に設けられている。
【００７３】
図１及び図３に示すように、受皿扉部材５は、中枠３の前面部において、前面枠３の下方側の部位に開閉可能に装着されている。尚、前述の発射レールＹは、図４に示すように、受皿扉部材５の後方（背後）に配置されている。また、受皿扉部材５の裏側には、音量スイッチ基板１２（図１３参照）が設けられ、受皿扉部材５の皿外縁部５ａには球抜きボタンや遊技球の貸出・返却ボタン等が設けられている。
【００７４】
この受皿扉部材５は、図１及び図６に示すように、中枠３の左端に開閉可能に支持された前板部５１と、前板部５１の前面部から前方に突出する上皿部５２とを備えている。また、上皿部５２は、上方に開口する容器形状に構成されると共に、その左端側の部位には、遊技機１内から排出される遊技球を、上皿部５２の内部に導くための排出口５ｂが設けられている。
【００７５】
図６に示すように、前板部５１の後面部であって、右端側（遊技者から見て右端側）に位置する部位の後方には、板状部材５３が配設されている。この板状部材５３は、前板部５１の上下方向に並ぶ、複数の取付部材５４を介して、前板部５１の後面部と所定の間隔をおいた位置に配設されると共に、前面部が前板部５１の後面部と略平行とされている。そして、板状部材５３の上端部と中間部とに、前板部５１の右端側に延設された延設部５３ａ、５３ｂを備えている。そして、これらの延設部５３ａ、５３ｂによって、第２の被係合部Ｌ２の具体例を構成している。
【００７６】
本遊技機１においては、図２９及び図３２に示すように、施錠装置７００の「第３の係合部Ｋ３」を、外枠２の「第３の被係合部Ｌ３」に係合することで、中枠３が外枠２に対して施錠されている。また、図２６に示すように、施錠装置７００の「第１の係合部Ｋ１」を、前面枠４の「第１の被係合部Ｌ１」に係合することで、前面枠４が中枠３に施錠されている。更に、図２９及び図３２に示すように、施錠装置７００の「第２の係合部Ｋ２」を、受皿扉部材５の「第２の被係合部Ｌ２」に係合することで、受皿扉部材５が中枠３に施錠されている。尚、施錠装置７００を用いた施錠方法や、その解除方法の詳細に関しては後述する。
【００７７】
図１に示すように、前面枠３の前面部であって、上皿部５よりも下方の部位には、下皿部６が突出状に設けられている。そして、この下皿部６の略中央には、遊技機１の内部から遊技球を排出するための排出口６ａが設けられている。また、下皿部６の左端には灰皿６ｂが設けられ、下皿部６の右端には発射ハンドル９が設けられている。更に、下皿部６の上部には、灰皿６ｂの上面を開閉可能なスライド蓋が設けられている。また、下皿部６の底面には球抜き孔（図示を省略）が設けられている。この球抜き孔は、通常時には、閉鎖されているが、下皿部６に貯留された遊技球を遊技機１から排出する際に開放状態とされる。
【００７８】
図１に示すように、発射ハンドル９は、発射装置ユニット（図示を省略）に接続されている。この発射ハンドル９には、遊技者がハンドルに触れていることを検出するタッチスイッチ９ａが装着されており、その近傍には、遊技球の発射を一時的に停止するための発射停止スイッチ９ｂが装着されている。
【００７９】
更に、図１に示すように、遊技機１の左端側には、プリペイドカードユニット１３が設けられている。尚、上皿部５の略中央部には第１音声出力部５ｃが設けられている。この第１音声出力部５ｃには、スピーカー４００ａを構成する中高音用ユニット（ツィータ）が、ダクト（図示を省略）を介して接続されている。
【００８０】
また、下皿部６における排出ノブ６ｃの右側及び左側には第２音声出力部６ｄが設けられている。この第２音声出力部６ｄには、スピーカー４００ａを構成するユニット（ウーハ）が、ダクト（図示を省略）を介して接続されている。また、本遊技機１では、受皿扉部材５の前面における左端側の部位に、２つの操作ボタンＢ１、Ｂ２を配置している。
【００８１】
ｂ．遊技盤１０の構成
次に、遊技盤１０の構成について、図７を用いて説明する。この遊技盤１０は、中枠３に保持されるとともに、後述する裏機構盤１０２（図８参照）によりその背面側が覆われている。この遊技盤１０の前面部１０ａには、レール部材Ｒが配置されている。このレール部材Ｒは、ともに帯状の金属板を用いて構成される外側レール１４と、内側レール１５とを用いて構成されている。そして、この遊技盤１０の前面部１０ａにおいて、このレール部材Ｒのうちで、領域レール部ｒによって、遊技盤１０の前面部１０ａに構成される遊技領域１１の外縁部Ｇを構成している。
【００８２】
つまり、外側レール１４は、遊技盤１０の前面部１０ａにおいて、「開口部を下方に向けた略円弧形状に配置された帯状の金属板」を用いて構成される。また、内側レール１５は、遊技盤１０の前面部１０ａのうちで、外側レール１４の内側の部位において、「開口部を上方に向けた略円弧形状に配置された帯状の金属板」を用いて構成される。そして、内側レール１５の略全体と、外側レール１４の上部側の部分とによって、略円形の「領域レール部ｒ」が構成される。
【００８３】
本遊技機１においては、遊技盤１０の右斜め下方の発射装置によって打ち出され、左上がり傾斜状の発射レールＹに沿って上昇した遊技球は、遊技盤１０の左端側において、外側レール１４と内側レール１５との間の誘導通路を経て、遊技盤１０の左上部の「領域入口部」に導かれた後、「領域レール部ｒ」によって包囲された遊技領域１１に放出される構造となっている。
【００８４】
遊技領域１１内には、中央装置２６と、始動口（普通電動役物１７１）１７と、下部装置１８と、左入賞口１９、右入賞口２０、左下入賞口２１、右下入賞口２２と、多数の障害釘２３と、一対のランプ風車２４、２５等が配設されている。
【００８５】
中央装置２６は遊技領域１１の略中央部に配置されると共に、液晶表示装置２７を備えている。また、中央装置２６の上部中央には、普通図柄表示装置３２が配置されている。この普通図柄表示装置３２は、７セグメント表示器３２ａと、普通図柄保留表示ＬＥＤ３２ｂとを有している。更に、中央装置２６の左右斜め下方には、普通図柄作動ゲート３６、３７がそれぞれ設けられ、この左右の普通図柄作動ゲート３６、３７内に左、右普通図柄作動ゲート通過検出スイッチ３６ｓ、３７ｓ（図９参照）が配設されている。
【００８６】
遊技領域１１において、中央装置２６の下方に離れた位置には、始動口１７が配設されている。そして、この始動口１７の入口側部分に、普通電動役物１７１が配置されている。つまり、この普通電動役物１７１は、いわゆるチューリップ式で左右に一対の翼片部が開閉するべく形成されている。また、普通電動役物１７１の内部には、遊技球の通過を検出する始動口（普通電動役物１７１）入賞検出スイッチ１７ｓ（図９参照）と、翼片部を作動させるための始動口（普通電動役物）ソレノイド１７ｃ（図９参照）とが備えられている。この一対の翼片部が左右に開くと、遊技球の入球可能性が大きくなる開放状態となり、一対の翼片部が立設され、遊技球の入球可能性が小さくなる通常状態となる。
【００８７】
下部装置１８は、上記始動口（普通電動役物１７１）１７の下方に配設されており、前面側が略逆台形状に形成された基板３４に、大入賞装置３１と、左下入賞口２１と右下入賞口２２とを備えている。ここで、大入賞装置３１は、略中央に形成され、帯状に開口された大入賞口３１１と、この大入賞口３１１を開放・閉鎖する開閉板３１２と、この開閉板３１２を開閉するための大入賞口ソレノイド３１３（図９参照）と、連動杆（図示略）と、入賞球を検出する入賞球検出スイッチ３１８（図９参照）と、裏箱（図示略）と、大入賞口中継基板（図示略）とから主に構成されている。
【００８８】
また、左下入賞口２１は、始動口（普通電動役物１７１）１７の略斜め左下側に配設されて、内部に左下入賞口通過検出スイッチ２１ｓ（図９参照）が設けられている。そして、この左下入賞口２１の下方には複数個の左下入賞口ＬＥＤ２２３が左下入賞口ＬＥＤ基板２１ｆ（図９参照）に取り付けられ、飾りレンズによって被覆されている。さらに、右下入賞口２２は、始動口（普通電動役物）１７の略斜め右下側に配設されて、内部に右下入賞口通過検出スイッチ２２ｓ（図９参照）が設けられている。そして、この右下入賞口２２の下方には複数個の右下入賞口ＬＥＤ２２４が右下入賞口ＬＥＤ基板２２ｆ（図９参照）に取り付けられ、飾りレンズによって被覆されている。
【００８９】
下部装置１８の左右斜め上方には、左入賞口１９及び右入賞口２０がそれぞれ配設されている。そして、その内部にはそれぞれ、左入賞口通過検出スイッチ１９ｓ（図９参照）、右入賞口通過検出スイッチ２０ｓ（図９参照）が設けられている。また、中央装置２６の左右斜め上方には、一対のランプ風車２４、２５がそれぞれ配設されている。さらに、遊技領域１１の左右両端部には、一対のサイドランプ３８、３９がそれぞれ縦円弧状で相対称状に配設されている。
【００９０】
これらの障害釘２３は、以上説明した各遊技装置との位置バランスを考慮して、遊技領域１１にパチンコ遊技に適するべく、配設されている。また、遊技領域の最下部にはアウト口４８が設けられている。尚、アウト口４８の下部にはバック球防止部材５８が設けられており、遊技領域１１に到達せず戻ってきた遊技球が再び発射位置に戻ることを防止している。一方、ファール球防止部材５９は、内レール１５の先端部に取り付けられ、返しゴム６０は、ファール球防止部材５９の位置とは略正反対側の、遊技盤１０の右半分側の位置であって、外レール１４に沿って嵌合状に取り付けられている。尚、本遊技機１では、図１に示すように、上皿部５の前面における左端側の部位に操作ボタンＢ１、Ｂ２を配設している。この操作ボタンＢ１、Ｂ２は、液晶表示装置２７の表示画面２７１で行われる表示に変更を加えるためのものである。
【００９１】
ｃ．遊技機の裏面構造
次に、本遊技機１の裏面構造について図８を参照して説明する。
【００９２】
前面枠４（図１）は中枠３にあって、前面枠４の上下端の位置に設けられた一対のヒンジ１０１により、開閉可能に支持されている。また、裏機構盤１０２は中枠３にあって裏機構盤１０２の上下端の位置に設けられた一対のヒンジ１０３により、開閉可能に支持されている。更に、遊技盤１０は中枠３の表面側に着脱可能に取り付けられている。また、上端側にあるヒンジ１０１の配設位置からみて左側には、タンク球切れ検出スイッチ１０４をタンク底部に備えた賞球タンク１０５と、この賞球タンク１０５に接続されるタンクレール１０６とが取り付けられている。更に、タンクレール１０６の右側には、球抜きレバー１０７が設けられ、その下流側には、補給球切れ検出スイッチ（図示を省略）が、さらに、その下流側には、裏側遊技装置としての賞球払出装置１０９が配設されている。
【００９３】
また、遊技球の振り分け部（図示略）が賞球払出装置１０９の下流側に設けられている。タンクレール１０６の下側には、液晶表示装置２７（図７参照）を格納した蓋付きの裏ケース（図示ぜす）が設けられ、この裏ケースの下側には、後述する主制御部１４０（図９参照）を構成する主制御基板を格納した主制御基板ケース１１２が配設されている。
【００９４】
この主制御基板ケース１１２の背面下側には、発射装置制御部１９３（図９参照）を構成する発射装置制御基板を格納した発射装置制御基板ケース１１３と、発射制御集合中継基板（図示略）と、が設けられている。また、裏機構盤１０２の左下方部には、上述した発射装置ユニット（図示略）が配設され、裏機構盤１０２の右下方部には、払出制御部１５０（図９参照）を構成する払出制御基板を格納した払出制御基板ケース１１８が配設されている。更に、遊技機１の裏面側には、中継基板（図示を省略）が装着されている。
【００９５】
この中継基板１９０は、入賞球検出スイッチ３１８，１９ｓ〜２２ｓ等と主制御部１４０とを中継するための基板とされている。尚、本実施例においては、主制御基板ケース１１２、中継基板１９０及び払出制御基板ケース１１８は、金属板（図示を省略）に着脱自在に装着され、この金属板は裏機構盤１０２に対して回動自在に懸架されている。
【００９６】
一方、裏機構盤１０２の左下端部には、ヒューズボックス１１９、電源スイッチ１２０、電源ターミナル基板１２１及び大当り、発射装置制御、球切れ、扉開放、賞球、球貸し用等の遊技機枠用外部接続端子を備えた端子基板（図示略）が設けられている。また、外部からの電力の供給を受けるための電源ケーブル１２３も端子基板（図示略）の上側に配設されている。また、払出制御基板ケース１１８からは接続ケーブル１２４が上方へ延出し、電源ケーブル１２５を備えたプリペイドカードユニット１３に接続されている。更に、裏機構盤１０２の略中央下端部には、下皿部用球通路部材（図示略）が設けられている。尚、本実施例では、電源ターミナル基板１２１に対して、ラムクリア信号を発生させるためのラムクリアスイッチ１２１ａを接続しているが、このラムクリアスイッチ１２１ａの接続を省略したり、ラムクリアスイッチ１２１ａの接続個所を変更してもよい。
【００９７】
ｄ．遊技機１の電子制御装置１３０
次に、本実施例の遊技機１の電子制御装置１３０について、図９を参照して説明する。この電子制御装置１３０は、主制御部１４０と、複数の副制御部とを含んで構成されている。また、副制御部としては、主制御部１４０に直に接続された第１次副制御部（払出制御部１５０、音声・ランプ制御部１７０等）と、この第１次副制御部を介して主制御部１４０に接続された第２次副制御部（発射装置制御部１９３、図柄制御部１６０等）と、を備えている。尚、主制御部１４０と第１次副制御部とは信号伝送経路５００ａによって接続され、第１次副制御部及び第２次副制御部は信号伝送経路５００ｂによって接続されている。
【００９８】
次に、各制御部間における「データ等」の伝送方式について述べる。即ち、主制御部１４０から、払出制御部１５０および音声・ランプ制御部１７０へは、一方向形式若しくは双方向形式でデータ等が伝送される。また、音声・ランプ制御部１７０から図柄制御部１６０へも一方向形式でデータが伝送されるものとして説明するが、音声・ランプ制御部１７０と図柄制御部１６０との間では双方向形式でデータを伝送することとしてもよい。尚、図９に示した破線の矢印は、各制御部１４０ないし１８０への電源供給経路を表している。また、図示されているように、電源は先ず初めに電源受電基板４１０に供給され、電源ユニット４２０で所定電圧に変換された後、分電基板４３０から各制御部１４０ないし１８０に電力が供給される。更に、電源投入時には、後述するシステムリセット信号が全制御基板に送信される。
【００９９】
ここで、主制御部１４０は、遊技の基本進行を司る制御部であり、当否判定の等、本遊技機１において重要な処理を実行する。また、主制御部１４０は、各種スイッチ（９ａ、９ｂ、９ｂ、１０４、１９２、１７ｓ、１９ｓ〜２２ｓ、３６ｓ、３７ｓ、３１８）等からの情報を受け取って所定の演算を行った後、払出制御部１５０や音声・ランプ制御部１７０に各種のコマンドを出力するとともに、各種の基板やソレノイド（１７ｃ、３１３、３７）などに駆動信号を出力する。
【０１００】
尚、図示を省略するが、音声・ランプ制御部１７０は、スピーカー４００ａやランプ等の制御を主に行うための制御基板と、制御基板からの命令を受けて、ランプ等に駆動信号を出力するための駆動基板の、主に２つの基板から構成されている。また、図柄制御部１６０は、特別図柄制御基板によって主に構成されている。
【０１０１】
中継基板１９０には、入賞球検出スイッチ３１８，１９ｓ〜２２ｓ等が接続されている。また、払出用端子基板１９１には、タッチスイッチ９ａ、発射停止スイッチ９ｂ、ヴォリュームスイッチ１９２、タンク球切れ検出スイッチ１０４及び補給球切れ検出スイッチ１０８等が接続され、払出用端子基板１９１の出力端子は、払出制御部１５０の入出力回路部に接続されている。
【０１０２】
以上の電子制御装置１３０においては、遊技球が始動口１７に入球すると、その情報が始動口入賞検出スイッチ１７ｓによって検出されて、主制御部１４０に入力される。また、遊技球が普通図柄作動左ゲート３６あるいは普通図柄作動右ゲート３７を通過すると、その情報が普通図柄作動口通過検出器３６ｓ，３７ｓにより検出されて、主制御部１４０に入力される。更に、入賞球検出スイッチ１９ｓ〜２２ｓ，３１８で遊技球の入球が検出されると、その情報は、中継基板１９０を介して主制御部１４０に入力される。
【０１０３】
（２）施錠装置の構造
施錠装置７００は、図１０〜図１２を用いて示されるように、支持体７１０と、第１の可動鉤部材７２０と、第２の可動鉤部材７２１と、第１の可動体７５０と、第２の可動体７６０と、第３の可動体７７０と、第４の可動体７８０と、錠部材８００（図２０を参照）と、を備えている。尚、図１０〜図１２においては、錠部材８００の図示を省略している。
【０１０４】
支持体７１０は、施錠装置７００の外郭を構成する部材であり、図１３に示すように、長尺な金属板を、横断面が略Ｌ字状になるように折り曲げて構成されるものである。この支持体７１０の上下方向幅（長手幅）は、中枠３の上下方向幅と略等しくされている。そして、この支持体７１０は、上下方向に長尺な板状体を用いて構成される基板部７１１と、基板部７１１の左端縁から後方に突出する側板部７１５と、を備えている。
【０１０５】
基板部７１１の前面部７１１ａは、図１３に示すように、支持体７１０を中枠３に固定する際に、中枠３の裏面部に当接する部分である。また、図１１、図１４〜図１７に示すように、この基板部７１１の左側縁部において、上下方向に沿った中間部から上端側に至る部位が、基板部７１１の右側縁部側に凹む、凹部７１１ｂとされている。つまり、この支持体７１０の横幅（短手幅）は、この凹部７１１ｂにおいて、「くびれ」状に狭くされている。
【０１０６】
基板部７１１の右側縁部は、上下に向かう略直線の経路を描くが、基板部７１１の左側縁部は、中間部から上端側に至る部位に、略等脚台形状（上底を右側方に向け、下底を左側方に向けた略等脚台形状）の凹部７１１ｂを備える状態で上下に向かう経路線を描いている。具体的には、基板部７１１の左側縁部は、凹部７１１ｂよりも上方の部位（以下、「第１領域部」という。）ａ１と下方の部位（以下、「第５領域部」という。）ａ５と、を上下に向かう略直線状としている。また、凹部７１１ｂは、上方に配置されて右下り傾斜の直線状の部位（以下、「第３領域部」という。）ａ２と、下方に配置されて左下り傾斜の直線状の部位（以下、「第４領域部」という。）ａ４と、第２領域部ａ２及び第３領域部ａ３の間に位置し、上下に向かう略直線状とされた部位（以下、「第３領域部」という。）ａ３と、を備えている。
【０１０７】
基板部７１１の左側縁部寄りに位置すると共に基板部７１１の上端部側に位置する部位（凹部７１１ｂよりも上方する部位）には、第１の挿通孔７１１ｃが設けられ、基板部７１１の左側縁部寄りに位置すると共に凹部７１１ｂよりも下方には、第２の挿通孔７１１ｄが設けられている（図１１を参照）。これらの挿通孔７１１ｃ、７１１ｄは、何れも、基板部７１１の前面部７１１ａと、後面部７１１ｂとを貫通する状態に設けられると共に、上下に長尺な矩形孔によって構成されている。
【０１０８】
図１１及び図１２に示すように、基板部７１１において、第２の挿通孔７１１ｄよりも下方の部位には、取付孔７１１ｆが形成されている。この取付孔７１１ｆは、後述する錠部材８００を支持体７１０に取り付けられるために使用され、基板部７１１の前面部７１１ａと、後面部７１１ｂとを貫通する状態に設けられている。また、図１２に示すように、基板部７１１の後面部７１１ｂであって、取付孔７１１ｆよりも上方の部位（第５領域部ａ５に属する部位である。）からは、バネ係止部７１１ｇが突出している（図２０を参照）。
【０１０９】
側板部７１５は、図１２、図１４〜図１７に示すように、長尺状の金属板の上端部側と、上下方向に沿った中間部と、に屈曲部を設けた構成を備えており、前方から見た経路線が、基板部７１１の左側縁部の経路線に沿った形状とされている。つまり、側板部７１５を、その左側方から観察すると、上下方向に沿った中間部から上端側に至る部位が、凹部７１５ｃ（凹部７１１ｂに対応する凹部７１５ｃ）として認識され、側板部７１５を、その右側方から観察すると、上下方向に沿った中間部から上端側に至る部位が、凸部（凹部７１５ｃと凹凸が反転した凸部）として認識される。
【０１１０】
この側板部７１５も、基板部７１１と同様に、凹部７１５ｃ（凸部７１５ｄ、凹部７１１ｂであっても同様）よりも上方の部位（以下、「第１領域部」という。）ｂ１と下方の部位（以下、「第５領域部」という。）ｂ５と、を上下に向かう略直線状としている。また、凹部７１５ｃ（凸部７１５ｄ）は、上方に配置されて右下り傾斜の直線状の部位（以下、「第２領域部」という。）ｂ２と、下方に配置されて左下り傾斜の直線状の部位（以下、「第４領域部」という。）ｂ４と、第２領域部ｂ２及び第４領域部ｂ４の間に位置し、上下に向かう略直線状とされた部位（以下、「第３領域部」という。）ｂ３と、を備えている。尚、「第１領域部ｂ１及び第１領域部ａ１」、「第２領域部ｂ２及び第２領域部ａ２」「第３領域部ｂ３及び第３領域部ａ３」、「第４領域部ｂ４及び第２領域部ａ４」、「第５領域部ｂ５及び第５領域部ａ５」は、各々、前後に位置合わせ可能とされている。
【０１１１】
図１０に示すように、第１領域部ｂ１の上端側の後端面と、第５領域部ｂ５の下端側の後端面とからは、把持部７１５ｅ、７１５ｅが後方に向かって突出している。これらのうちで、上方に配置される把持部７１５ｅは、「第１の可動鉤部材７２０」を回動可能に支持しつつ、この「第１の可動鉤部材７２０」と協働して、上方に配置される「第３の被係合部Ｌ３」を把持する。また、下方に配置される把持部７１５ｅは、「第２の可動鉤部材７２１」を回動可能に支持しつつ、この「第２の可動鉤部材７２１」と協働して、下方に配置される「第３の被係合部Ｌ３」を把持する。
【０１１２】
両把持部７１５ｅは、側方から観察すると、略コの字形型の略板状体として認識されるものであり、左右両側面を貫通し、後端部で開口する切り欠き部７１５ｆを備えている。この把持部７１５ｅにおいて切り欠き部７１５ｆの後端部側に対応する部位（以下、入口部」という。）７１５ｇは、切り欠き部７１５ｆの空間幅（上下方向に沿った空間幅）を、より後方に向かうに従って広くしたテーパ状としている。また、把持部７１５ｅにおいて切り欠き部７１５ｆの前後方向中間部に対応する部位（以下、「把持本体部」という。）７１５ｈは、空間幅（上下方向に沿った空間幅）を、「第３の被係合部Ｌ３」の上下幅と等しくしている。更に、把持部７１５ｅにおいて切り欠き部７１５ｆの前端部側に対応する部位（以下、「奥端部」）７１５ｉは、空間幅（上下方向に沿った空間幅）を、把持本体部７１５ｈの空間幅よりも段差状に小さくしている。
【０１１３】
奥端部７１５ｉの右側面部のうちで、切り欠き部７１５ｆの下縁部に相当する部位からは、規制片７１５ｋが突出している。この規制片７１５ｋは、平面形状が略矩形で、把持部７１５ｅの右側方に突出する小片によって構成されている｛図２２（ｂ）を参照｝。
【０１１４】
図１０、図１４及び図１５に示すように、側板部７１５の「第５領域部」ｂ５の上下方向中間部に位置する部位であって、取付孔７１１ｆの後方に位置する部位には、第１の操作孔７１５ｍと、第２の操作孔７１５ｎとが設けられている。これらの操作孔７１５ｍ、７１５ｎは、何れも、側板部７１５の左右の側面部を貫通する状態に設けられると共に、上下に長い矩形の開口形状を備える。そして、これらの操作孔７１５ｍ、７１５ｎは、以下のような位置関係にある。
【０１１５】
つまり、上下方向に沿った位置は、第１の操作孔７１５ｍの方が第２の操作孔７１５ｎよりも高くされ、前後方向に沿った位置は、第１の操作孔７１５ｍの方が第２の操作孔７１５ｎよりも前方とされている。そして、第１の操作孔７１５ｍの上下方向に沿った中心部と、第２の操作孔７１５ｎの上下方向に沿った中心部と、の間に、取付孔７１１ｆの中心部が位置している。
【０１１６】
第１の可動鉤部材７２０及び第２の可動鉤部材７２１は、第３の係合部を構成する部材であり、略鉤形状（フック形状）を備える。また、前後方向中間部に位置する回動支点部７２２を、対応する把持部７１５ｅに支持されて回動可能とされている。つまり、図１８に示すように、各把持部７１５ｅの右側面部であって、切り欠き部７１５ｆの前方に位置する部位には、支持ピン７２３が右側方に突出し、各把持部７１５ｅに対しては回転不可能な状態（固定状態）」で装着されている。そして、第１の可動鉤部材７２０の回動支点部７２２は、上方の把持部７１５ｅの支持ピン７２３を用いて回動可能に支持され、第２の可動鉤部材７２１の回動支点部７２２は、下方の把持部７１５ｅの支持ピン７２３を用いて回動可能に支持されている。
【０１１７】
両可動鉤部材７２０、７２１の回動支点部７２２よりも後方には、係合本体部７２５と、導入部７２６とが、この順に設けられている。このうち、両可動鉤部材７２０、７２１のより後方に位置する導入部７２６では、その上端面が後端部（可動鉤部材７２０、７２１の後端部）に向かうに従って下り傾斜となる「下り傾斜面」としている。また、回動支点部７２２及び導入部７２６の中間に位置する係合本体部７２５は、回動支点部７２２及び導入部７２６に比べて凹んだ、係合用凹部７２５ａを用いて構成されている。
【０１１８】
両可動鉤部材７２０、７２１の前端部側には、右側方に突出する状態の操作ピン７２７が装着されている。更に、両可動鉤部材７２０、７２１の上端面のうちで、回動支点部７２２と、操作ピン７２７との間の部位には、バネ係止部７２８が設けられている。このバネ係止部７２８は、左右に貫通する係止孔を備える板状片によって構成されている。
【０１１９】
各可動鉤部材７２０、７２１が、対応する把持部７１５ｅに装着されると、この可動鉤部材７２０は回動支点部７２２を中心として回動可能とされる。ところが、可動鉤部材７２０、７２１を、「右側方から見て時計回転方向」に回転させた（図２２及び図２３を参照）後に、可動鉤部材７２０、７２１を、「右側方から見て反時計回転方向」に戻す場合、係合用凹部７２５ａの上端面（以下、「下部挟持面」という。）７２５ｂと、「上方の把持部７１５ｅにおいて、切り欠き部７１５ｆの上縁部に接する端面（以下、「上部挟持面」という。）７１５ｓ」とが略平行な状態（以下、「施錠実行状態」という。）となると、下部挟持面７２５ｂが、規制片７１５ｋの下面に当接する。このため、可動鉤部材７２０は、それ以上、回転すること（右側方から見て反時計回転方向への回転量を更に増加すること）ができなくなる。
【０１２０】
施錠実行状態にある「各可動鉤部材７２０、７２１」を、図２２及び図２３に示すように、「右側方から見て時計回転方向」に回転させると、下部挟持面７２５ｂが、この方向に回転するため、下部挟持面７２５ｂの後端側の部位と、上部挟持面７１５ｓの後端側の部位との間隔が拡大した状態（以下、「解錠状態」という。）となる。但し、第１の可動鉤部材７２０のバネ係止部７２８と、後述する「第１の可動体７５０」のバネ係止部７５８との間には、第２のコイルバネＢ２が装着され、第１の可動鉤部材７２０には、第１の可動鉤部材７２０を「施錠実行状態」に戻すような付勢力が負荷されている。また、第２の可動鉤部材７２１のバネ係止部７２８と、後述する「第４の可動体７８０のバネ係止部７８２ｃが設けられ、このバネ係止部７８２ｃと、その上方に位置する「第２の可動鉤部」との間にも、第３のコイルバネＢ３が装着され、第２の可動鉤部材７２１には、第２の可動鉤部材７２０を「施錠実行状態」に戻すような付勢力が負荷されている。尚、図１０、図１８及び図２５においては、対応するコイルバネＢ２、Ｂ３の図示を省略している。
【０１２１】
第１の可動体７５０は、第１の錠操作伝達部の端末側の部分を構成しつつも、第１の係合部Ｋ１を一体的に備える部材である。この第１の可動体７５０は、図１２に示すように、側板部７１５の右側面部に対して摺動可能な状態で、側板部７１５に装着されている。そして、この第１の可動体７５０は、図１０〜図１２に示すように、長尺状の金属板を用いて構成される本体部７５１と、本体部７５１の前端面における上端側部位及び下端側部位から、前方に向かって突出する「第１の係合用フック部７５６」と、を備える。尚、本体部７５１は、後述する「第２の可動体７６０」及び「第３の可動体７７０」と共に、第１の錠操作伝達部を構成し、「第１の係合用フック部７５６」は、第１の係合部の具体例を構成する。
【０１２２】
本体部７５１は、図１２、図１４〜図１６に示すように、「側板部７１５の右側のうちで、第１領域部ｂ１〜第４領域部ｂ４と、第５領域部ｂ５の上端部側の部位」の右側方に配置されるものである。この本体部７５１も、側板部７１５と同様な形状を備えている。つまり、この本体部７５１も、長尺状の金属板の上端部側と、上下方向に沿った中間部と、に屈曲部を設けた構成を備えており、前方から見た経路線が、基板部７１１の左側縁部の経路線に沿った形状とされている。つまり、本体部７５１も、その左側方から観察すると、上下方向に沿った中間部から上端側に至る部位が、凹部７５１ｃとして認識され、本体部７５１を、その右側方から観察すると、上下方向に沿った中間部から上端側に至る部位が、凸部として認識される。
【０１２３】
この本体部７５１も、凹部７５１ｃよりも上方の部位（以下、「第１領域部」という。）ｃ１と下方の部位（以下、「第５領域部」という。）ｃ５と、を上下に向かう略直線状としている。また、凹部７５１ｃは、上方に配置されて右下り傾斜の直線状の部位（以下、「第２領域部」という。）ｃ２と、下方に配置されて左下り傾斜の直線状の部位（以下、「第４領域部」という。）ｃ４と、第２領域部ｃ２及び第４領域部ｃ４の間に位置し、上下に向かう略直線状とされた部位（以下、「第３領域部」という。）ｃ３と、を備えている。但し、凹部７５１ｃの横幅（上下方向に沿った幅）は、凹部７１５ｃの横幅（上下方向に沿った幅）よりも大きくされている。
【０１２４】
本体部７５１の第３領域部ｃ３において、図１６等に示すように、上端側の部位からは、右側方に向かって伝達用突起７５２が突出している。また、第１領域部ｃ１及び第５領域部ｃ５には、略長円状の支持孔７５３ａ、７５３ｂが設けられている。これらの支持孔７５３ａ、７５３ｂは、本体部７５１を肉厚方向（左右方向）に貫通する状態に形成されると共に、長手方向を上下方向に向けている。そして、本体部７５１は、これらの支持孔７５３ａ、７５３ｂと、支持ピンＰ、Ｐとを用いて、側板部７１５の右側面部に対して摺動可能な状態に装着されている。
【０１２５】
つまり、両支持ピンＰ、Ｐは、支持孔７５３ａ、７５３ｂに対して遊入可能な軸部Ｐ１と、軸部Ｐ１の一端部に装着され、支持孔７５３ａ、７５３ｂの短手幅よりも、大きな直径を備えるフランジ部Ｐ２とを備える。そして、一方の支持ピンＰの軸部Ｐ１を、その他端部の側から上方の支持孔７５３ａに挿通し、この他端部を、「側板部７１５の第１領域部ｂ１における下端側の部位」に、「カシメ」を用いて固定する。また、他方の支持ピンＰの軸部Ｐ１を、その他端部の側から下方の支持孔７５３ａに挿通し、この他端部を、「側板部７１５の第５領域部ｂ５における上側の部位」に、「カシメ」を用いて固定する。
【０１２６】
これにより、本体部７５１は、側板部７１５の右側面部に対して摺動可能とされているが、各支持孔７５３ａ、７５３ｂの内壁面の上端部が、対応する支持ピンＰ、Ｐの軸部Ｐ１に当接すると、本体部７５１の動作位置は上限位置となり、各支持孔７５３ａ、７５３ｂの内壁面の下端部が、対応する支持ピンＰ、Ｐの軸部Ｐ１に当接すると、本体部７５１の動作位置は下限位置となる。つまり、この本体部７５１は、この上限位置と、下限位置との間を上下に摺動可能とされている。
【０１２７】
この本体部７５１においては、「第１領域部ｂ１及び第１領域部ｃ１」、「第５領域部ｂ５及び第５領域部ｃ５」は、各々、左右に位置合わせ可能とされている。但し、本体部７５１の動作位置が上限位置にあるときには、第２領域部ｃ２は、第１領域部ｂ１の右側方に位置し、第４領域部ｃ４は、第４領域部ｂ４の右側方に位置する。一方、本体部７５１の動作位置が下限位置にあるときには、第２領域部ｃ２は、第２領域部ｂ２の右側方に位置し、第４領域部ｃ４は、第３領域部ｂ３の右側方に位置する。
【０１２８】
尚、図２４（ｂ）に示すように、本体部７５１の後端面うちで上端側の部位には、前述のバネ係止部７５９が設けられ、このバネ係止部７５９と、その上方に位置する「第１の可動鉤部材７２０のバネ係止部７２８」との間には、第２のコイルバネＢ２が装着され、本体部７５１には、上方に向かう付勢力が負荷されている。このため、通常において（本体部７５１に外力が負荷されない場合において）、本体部７５１の動作位置が上限位置とされ、本体部７５１を第２のコイルバネＢ２の付勢力に対抗して下方に引き下げると、本体部７５１の動作位置が下限位置の方向に向かって変化するものとされている。
【０１２９】
第１の係合用フック部７５６は、第１の係合部の具体例を構成するものであり、図２６に示すように、本体部７５１と一体で上下動する。この第１の係合用フック部７５６も、係合本体部７５６ａと、導入部７５６ｂとを、前方から後方に、この順で備えている。このうち、より後方に位置する導入部７５６ｂでは、その上端面が後端部（第１の係合用フック部７５６の後端部）に向かうに従って下り傾斜となる「下り傾斜面」としている。また、導入部７５６ｂよりも前方に位置する係合本体部７５６ａは、導入部７５６ｂに比べて凹んだ、係合用凹部７５６ｃを用いて構成されている。
【０１３０】
図１０及び図１１に示すように、上方の第１の係合用フック部７５６は、第１の挿通孔７１１ｃに遊入状態で挿通されて基板部７１１の前方に突出し、下方の第１の係合用フック部７５６は、第２の挿通孔７１１ｄに遊入状態で挿通されて基板部７１１の前方に突出している。また、上方の「第１の係合用フック部７５６」の上下方向に沿った幅は、第１の挿通孔７１１ｃの上下方向に沿った幅よりも小さくされ、下方の「第１の係合用フック部７５６」の上下方向に沿った幅は、第２の挿通孔７１１ｄの上下方向に沿った幅よりも小さくされている。このため、本体部７５１が上限位置のから下限位置に移動すると、両第１の係合用フック部７５６も、その下限位置に移動し、本体部７５１が下限位置から上限位置に移動すると、両第１の係合用フック部７５６も、その上限位置に移動するものとされている。
【０１３１】
第２の可動体７６０は、図１２に示すように、第１の錠操作伝達部の中間部分を構成すると共に、錠操作中継部の一部を構成する部材である。そして、第１の可動体７５０の右側面部に対して摺動可能な状態で、側板部７１５の右方向に配置されている。この第２の可動体７６０は、長尺状の金属板を用いて構成されている。この第２の可動体７６０は、第１の可動体７５０の右側のうちで、第１領域部ｃ１〜第４領域部ｃ４と、第５領域部ｃ５の上端部寄りの部位（上端部寄りの僅かな部位）」の右側方に配置されるものである。
【０１３２】
この第２の可動体７６０も、第１の可動体７５０と同様な形状を備えている。つまり、この第２の可動体７６０も、図１２、図１４〜図１６に示すように、長尺状の金属板の上端部側と、上下方向に沿った中間部と、に屈曲部を設けた構成を備えており、前方から見た経路線が、基板部７１１の左側縁部の経路線に沿った形状とされている。つまり、第２の可動体７６０も、その左側方から観察すると、上下方向に沿った中間部から上端側に至る部位が、凹部７６１ｃとして認識され、第２の可動体７６０を、その右側方から観察すると、上下方向に沿った中間部から上端側に至る部位が、凸部７６１ｄとして認識される。但し、凹部７６１ｃの横幅（上下方向に沿った幅）は、凹部７５１ｃの横幅（上下方向に沿った幅）よりも大きくされている。
【０１３３】
この「第２の可動体７６０」も、凹部７６１ｃよりも上方の部位（以下、「第１領域部」という。）ｄ１と下方の部位（以下、「第５領域部」という。）ｄ５と、を上下に向かう略直線状としている。また、凹部７６１ｃは、上方に配置されて右下り傾斜の直線状の部位（以下、「第２領域部」という。）ｄ２と、下方に配置されて左下り傾斜の直線状の部位（以下、「第４領域部」という。）ｄ４と、第２領域部ｄ２及び第４領域部ｄ４の間に位置し、上下に向かう略直線状とされた部位（以下、「第３領域部」という。）ｄ３と、を備えている。
【０１３４】
図１０及び図１６に示すように、第２の可動体７６０の上端部寄り（第１領域部ｄ１の上端部寄り）には、略矩形状の切り欠き部７６２が設けられている。この切り欠き部７６２は、第２の可動体７６０の左右両側面と、前端面とで開口するものであり、上下方向に沿った幅が、「第１の可動鉤部材７２０に装着された操作ピン７２７の軸部」の直径の４〜６倍の大きさとされている。そして、第２の可動体７６０において、切り欠き部７６２の下縁部を構成する部位（以下、「上部操作部位」という。）７６２ｂは、第１の可動鉤部材７２０（操作ピン７２７）に当接し、第２の可動体７６０に負荷された操作力を、第１の可動鉤部材７２０（操作ピン７２７）に伝達する部位である。
【０１３５】
図１６に示すように、第１領域部ｄ１において、切り欠き部７６２の下方の位置には、略長円状の支持孔７６３ａが設けられている。この支持孔７６３ａは、第２の可動体７６０を肉厚方向（左右方向）に貫通する状態に形成されると共に、長手方向を上下方向に向けている。この支持孔７６３ａの長手方向に沿った幅（上下方向幅）は、第１の可動体７５０の上端側に設けられた支持孔７５３ａの長手方向に沿った幅（上下方向幅）よりも大きく（例えば、約２倍）とされている。
【０１３６】
図１６に示すように、第３領域部ｄ３の上端部側には、縦長の矩形状の伝達用孔７６５が設けられている。この伝達用孔７６５は、第３領域部ｄ３の表裏面部を貫通する状態に設けられる。そして、伝達用孔７６５の上下方向に沿った幅は、伝達用突起７５２の上下方向に沿った幅よりも大きく（例えば、１０倍）されている。また、第３領域部ｄ３の下端部（第２の可動体７６０の下端部）からは、伝達用突起７６６が、右側方に向かって突出している。
【０１３７】
この「第２の可動体７６０」は、第２の可動体７６０の右側方において、以下のように配置されている。つまり、第２領域部ｄ２の裏面部を、第１の可動体７６０の上面部に当接させ、切り欠き部７６２に操作ピン７２７の軸部を挿通させている。このとき、上部操作部位７６２ｂを、操作ピン７２７の軸部に対して、その下方から当接させている。そして、操作ピン７２７の上方には、空間部（切り欠き部７６２において、操作ピン７２７の上方に位置する部位によって構成される空間部）が形成され、操作ピン７２７は、この空間内を上方に向かって移動可能とされている。
【０１３８】
また、支持孔７６３ａを、支持孔７５３ａに対して左右方向に位置合わせし、前述の「支持ピン７２３」の軸部を、前述の支持孔７５３ａと共に支持孔７６３ａにも挿入している。このため、第２の可動体７６０は、支持ピン７２３に支持されつつ、第１の可動体７５０の右側面部を摺動可能とされている。また、支持孔７６３ａの上下方向に沿った中間部が、支持孔７５３ａの下端部と位置合わせされている。
【０１３９】
更に、伝達用孔７６５に伝達用突起７５２を挿通させている。この際、伝達用突起７５２が、伝達用孔７６５の上端部（第３領域部ｄ３において、伝達用孔７６５の上縁部を構成する部位）に当接している。
【０１４０】
この第２の可動体７６０を上方に引き上げると、上部操作部位７６２ｂが操作ピン７２７を押し上げるため、第１の可動鉤部材７２０は、回動支点部７７２を中心に回転して（右側方から見て、時計回りに回転して）、解錠状態となる。一方、第２の可動体７６０を押し下げると、第３領域部ｄ３が、第１の可動体７５０の第３領域部ｃ３を下方に押し下げるため、第１の可動体７５０も下方に移動する。
【０１４１】
但し、第１の可動体７５０を下方に押し下げても、第２の可動体７６０は、下方には移動しない。蓋し、伝達用孔７６５が伝達用突起７５２の下方の位置に空き空間部を設けている。よって、第１の可動体７５０を単独で下方に押し下げても、伝達用突起７５２は、この空き空間内を下方に移動するため、伝達用突起７５２から第２の可動体７６０に操作力が伝達されないからである。
【０１４２】
また、第２の可動体７６０を上方に引き上げても、第１の可動体７６０は、上方に移動しない。蓋し、伝達用孔７６５が伝達用突起７５２の下方の位置に空き空間部を設けると共に、支持孔７６３ａが支持ピン７２３の下方の位置に空き空間部を設けている。そして、第２の可動体７６０を単独で上方に引き上げると、第２の可動体７６０は、「伝達用孔７６５における伝達用突起７５２の下方の位置の空き空間部」と、「支持孔７６３ａにおける支持ピン７２３の下方の位置を空き空間部」と、を狭くするように上昇するだけである。つまり、第２の可動体７６０から、伝達用突起７５２、ひいては、第１の可動体７６０への操作力の負荷はなされないからである。
【０１４３】
尚、第２の可動体７６０には、通常時（操作力が負荷されないときに）おいて、「第２のコイルバネＢ２の付勢力」が、第１の可動体７５０の伝達用突起７５２を介して伝達される｛図２４（ｂ）を参照｝。つまり、第２のコイルバネＢ２の「第１の可動体７５０を引き上げる付勢力」は、伝達用突起７５２、伝達用孔７６５に伝達され、第２の可動体７６０を、上方に引き上げる。
【０１４４】
第３の可動体７７０は、第１の錠操作伝達部の始端側部分を構成すると共に、錠操作中継部の一部を構成する部材である。そして、図１２に示すように、第１の可動体７５０の右側面部、及び、側板部７１５の右側面部に対して摺動可能な状態で、側板部７１５の第５領域部ｂ５の右方向に配置されている。この第３の可動体７７０も、長尺状の金属板を用いて構成されている。
【０１４５】
この第３の可動体７７０は、図１４〜図１７に示すように、右側方から観察すると、上下方向に沿った中間部（以下、「第３の部位」という。）ｗ３を、最も、左側方に凹む略平板状に構成されている。そして、この第３の部位ｗ３の上方には、第３の部位ｗ３に対して、第１の可動体７５０の肉厚に相当する分だけ、右側方に隆起する略平板状の「第２の部位」ｗ２が設けられている。更に、この第２の部位ｗ２の上方には、第２の部位ｗ２に対して、第２の可動体７６０の肉厚に相当する分だけ、右側方に隆起する略平板状の「第１の部位」ｗ１が設けられている。更に、第３の部位ｗ３の下方には、第３の部位ｗ３に対して、第１の可動体７５０の肉厚に相当する分だけ、右側方に隆起する略平板状の「第４の部位」ｗ４が設けられている。
【０１４６】
図１４等に示すように、第１の部位ｗ１の上端部側には、前述の伝達用突起７６６を嵌合可能な伝達用切り欠き部７７１が形成されている。この伝達用切り欠き部７７１は、第１の部位ｗ１の左右両側面部と、前端面部で開口する、横長の略矩形状に構成されている。また、図１６に示すように、第２の部位ｗ２には、支持孔７７２が上下に長円状に設けられている。この支持孔７７２は、第２の部位ｗ２を肉厚方向（左右方向）に貫通する状態に形成されると共に、長手方向を上下方向に向けている。そして、この支持孔７７２の長手方向に沿った幅（上下方向幅）は、第１の可動体７５０の下端側に設けられた支持孔７５３ｂの長手方向に沿った幅（上下方向幅）よりも大きく（例えば、約２倍）とされている。
【０１４７】
図１７及び図１８に示すように、第４の部位ｗ４（第３の可動体７７０）の下端部寄りには、略矩形状の切り欠き部７７３が設けられている。この切り欠き部７７３は、第４の部位ｗ４（第３の可動体７７０）の可動体７６０の左右両側面と、前端面とで開口するものであり、上下方向に沿った幅が、「第２の可動鉤部材７２１に装着された操作ピン７２７の軸部」の直径の４〜６倍の大きさとされている。そして、第３の可動体７７０において、切り欠き部７７３の下縁部を構成する部位（以下、「下部操作部位」という。）７７３ｂは、第２の可動鉤部材７２１（操作ピン７２７）に当接し、第３の可動体７７０に負荷された操作力を、第２の可動鉤部材７２１（操作ピン７２７）に伝達する部位である。
【０１４８】
図１０及び図１８に示すように、第３の部位ｗ３の上端部側には受圧用切り欠き部７７５が設けられ、第３の部位ｗ３の下端部側には受圧孔７７６が設けられている。このうち、受圧用切り欠き部７７５は、上下に長い矩形の開口形状を備えつつ、第３の部位ｗ３の前端面に近接した位置に設けられている。また、「第３の部位ｗ３」の左右の側面部を貫通すると共に、第３の部位ｗ３の前端面で開口している。そして、第３の部位ｗ３（第３の可動体７７０）において、この受圧用切り欠き部７７５の下縁部を構成する部位によって、「第１の受圧部Ｊ１」の具体例を構成する。尚、受圧用切り欠き部７７５の上下方向に沿った幅は、「側板部７１５の第１の操作孔７１５ｍ」の上下方向に沿った幅の約半分とされている。
【０１４９】
また、受圧孔７７６は、上下に長い矩形の開口形状を備えつつ、第３の部位ｗ３の「前後方向中間部」において、「第３の部位ｗ３」の左右の側面部を貫通す状態に設けられている。そして、第３の部位ｗ３（第３の可動体７７０）において、この受圧孔７７６の上縁部を構成する部位によって、「第３の受圧部Ｊ３」の具体例を構成する。尚、受圧孔７７６の上下方向に沿った幅は、「側板部７１５の第２の操作孔７１５ｎ」の上下方向に沿った幅の約半分とされている。
【０１５０】
この第３の可動体７７０は、支持体７１０に対して、以下のように組み込まれている。つまり、「第１の部位ｗ１」の左側面部の上半部を、第２の可動体７６０の「第５の領域部ｄ５」の右側面部に摺動可能に当接させ、「第２の部位ｗ２」の左側面部の上半部を、第１の可動体７５０の「第５の領域部ｃ５」の右側面部に摺動可能に当接させる。しかも、「第３の部位ｗ３」の左側面部の略全域を、側板部７１５の「第５の領域部ｂ５」の右側面部に摺動可能に当接させ、「第３の部位ｗ３」の左側面部の略全域を、側板部７１５の「第５の領域部ｂ５」の右側面部から、「第１の可動体７５０の肉厚（左右幅）」に相当する距離だけ、離間させる。
【０１５１】
このとき、伝達用切り欠き部７７１に伝達用突起７６６が嵌合される。しかも、支持孔７７２の上下方向中間部と、「第１の可動体７５０」の下方の支持孔７５３ｂの下端部とが位置合わせされる（左右方向に位置合わせされる）と共に、前述の支持ピンＰの軸部Ｐ１（支持孔７５３ｂに挿通される支持ピンＰの軸部Ｐ１）が、支持孔７７２にも挿通されるため、第３の可動体７７０は、第２の可動体７６０と一体にて上下動可能とされる。更に、第３の可動体７７０の下端側に設けられた「切り欠き部７７３」には、第２の可動鉤部材７２１の操作ピン７２７が挿通される。
【０１５２】
第３の可動体７７０は、通常時（操作力が負荷されないときに）おいて、上下方向に沿った中間位置に配置される。このとき、図１４等に示すように、「第１の受圧部Ｊ１（受圧用切り欠き部７７５の下縁部）」と、第１の操作孔７１５ｍの上下方向中間部とが、左右に位置合わせされ、「第３の受圧部Ｊ３（受圧孔７７６の上縁部）」とが、左右に位置合わせされる。同時に、支持孔７７２の上下方向中間部と、「第１の可動体７５０」の下方の支持孔７５３ｂの下端部とが位置合わせされ、下部操作部位７７３ｂが、操作ピン７２７に対して、その下方から当接する（図１８を参照）。
【０１５３】
この状態から、図２３に示すように、第３の可動体７７０を上方に引き上げ、上下方向に沿った上限位置に移動させると、下部操作部位７７３ｂが操作ピン７２７を押し上げるため、第２の可動鉤部材７２１は、回動支点部を中心に回転して（右側方から見て、時計回りに回転して）、解錠状態となる。このとき、第２の可動体７６０も、上方に引き上げられるため、第１の可動鉤部材７２０も、解錠状態となる。一方、第３の可動体７７０を押し下げ、下限位置に移動すると、第２の可動体７６０及び、第１の可動体７７０も下方に移動する。
【０１５４】
第４の可動体７８０は、第２の錠操作伝達部を構成しつつも、第２の係合部Ｋ２を一体的に備える部材である。この第４の可動体７８０は、図１２に示すように、側板部７１５の左側面部（第５の領域部ｂ５）に対して摺動可能な状態で、側板部７１５に装着されている。この第４の可動体７８０は、図１９に示すように、第２の係合部Ｋ２を有する係合機能部７８１と、この係合機能部７８１の動作態様（係合動作の可否）を選択するための動作選択部７８５と、を備えている。
【０１５５】
係合機能部７８１は第５の領域部ｂ５に対し、摺動状態にて上下動可能とされている。この係合機能部７８１は、縦長の金属板を用いて構成されるベース部７８２と、ベース部７８２の前端面における中間側の２カ所から、各々、前方に向かって突出する「第２の係合用フック部７８３」と、を備える。尚、「第２の係合用フック部７８３」は、第２の係合部の具体例を構成する。
【０１５６】
ベース部７８２は、「その上端面を含む上端側の部位」が、第５の領域部ｂ５の左側面部から離間する方向に隆起する隆起部７８２ａとされている。この隆起部７８２ａの右側面部と、側板部７１５の左側面部との間には、動作選択部７８５の肉厚（左右方向幅）よりも僅かに大きな隙間が形成される。また、ベース部７８２において、隆起部７８２ａよりも下方の２カ所には、縦長の支持孔７８２ｂ、７８２ｂが設けられている。これらの支持孔７８２ｂ、７８２ｂは、ベース部７８２の左右両側面部を貫通しつつ、長手方向を上下に向けた略円状に構成されると共に、鉛直方向に併設されている。そして、ベース部７８２は、これらの支持孔７８２ｂ、７８２ｂと、対応する支持ピンＰ、Ｐとを用いて、「側板部７１５を構成する第５の領域部ｂ５」の左側面部に対して摺動可能な状態に装着されている。
【０１５７】
これらの支持ピンＰ、Ｐも、前述の「第１の可動体７５０を支持するための支持ピンＰ、Ｐ」と同様な構成を備える。つまり、支持孔７８２ｂ、７８２ｂに対して遊入可能な軸部Ｐ１と、軸部Ｐ１の一端部に装着され、支持孔７８２ｂ、７８２ｂの短手幅よりも、大きな直径を備えるフランジ部Ｐ２とを備える。そして、一方の支持ピンＰの軸部Ｐ１を、その他端部の側から上方の支持孔７８２ｂに挿通し、この他端部を、「側板部７１５の第５領域部ｂ５」に、「カシメ」を用いて固定する。また、他方の支持ピンＰの軸部Ｐ１を、その他端部の側から下方の支持孔７８２ｂに挿通し、この他端部を、「側板部７１５の第５領域部ｂ５に」に、「カシメ」を用いて固定する。
【０１５８】
これにより、ベース部７８２は、側板部７１５の左側面部に対して摺動可能とされているが、各支持孔７８２ｂ、７８２ｂの内壁面の下端部が、対応する支持ピンＰ、Ｐの軸部Ｐ１に当接すると、ベース部７８２の動作位置は上限位置となる。また、ベース部７８２の後端面うちで下端側の部位には、前述のバネ係止部７８２ｃが設けられ、このバネ係止部７８２ｃと、その上方に位置する「第２の可動鉤部材７２１のバネ係止部７２８」との間には、第３のコイルバネＢ３が装着され、ベース部７８２には、上方に向かう付勢力が負荷されている。このため、通常において（ベース部７８２に外力が負荷されない場合において）、ベース部７８２の動作位置が上限位置とされ、ベース部７８２を第２のコイルバネＢ２の付勢力に対抗して下方に引き下げると、ベース部７８２の動作位置が下限位置の方向に向かって変化するものとされている。
【０１５９】
第２の係合用フック部７８３も、図２５に示すように、係合本体部７８３ａと、導入部７８３ｂとを、前方から後方に、この順で備えている。このうち、より後方に位置する導入部７８３ｂでは、その上端面が後端部（第２の係合用フック部７８３の後端部）に向かうに従って下り傾斜となる「下り傾斜面」としている。また、導入部７８３ｂよりも前方に位置する係合本体部７８３ａは、導入部７８３ｂに比べて凹んだ、係合用凹部７８３ｃを備えている。
【０１６０】
両第２の係合用フック部７８３は、「基板部７１１の前面部７１１ａ」の前方に突出する状態とされつつ、ベース部７８２と一体で上下動可能とされている。そして、ベース部７８２が、側板部７１５の左側面部に対して摺動しつつ、その上限位置から下降すると、両第２の係合用フック部７８３は、「基板部７１１の前面部７１１ａ」の前方において、その上限位置から下降するものとされている。
【０１６１】
動作選択部７８５は、図１９に示すように、縦長の金属板を用いて構成されると共に、略矩形板状に構成される本体部７８６と、この本体部７８６の上端面と一体となりつつ、前方に突出する規制用突出部７８７とを備えている。
【０１６２】
動作選択部７８５の下端部は、隆起部７８２ａの右側面部の左側に配置される（図１７を参照）と共に、「隆起部７８２ａに装着された支持ピンＱ」を用いて、隆起部７８２ａに支持されている。この支持ピンＱは、隆起部７８２ａに対しては回転不能な状態で装着されている。そして、動作選択部７８５は、この支持ピンＱに支持されつつ、この支持ピンＱを支点に後方に向かって傾動可能とされている。つまり、支持ピンＱは、動作選択部７８５の「傾動支点部」を構成している。そして、動作選択部７８５の姿勢は、「基本姿勢（本体部７８６の軸心を上下方向に向ける姿勢であって、図３２を参照）」と、「この基本姿勢に比べて動作選択部７８５を後方に傾動させた傾動姿勢（図２９を参照）」と、の間で、姿勢変更可能とされている。
【０１６３】
図１９に示すように、この本体部７８６の上下方向中間部には受圧用切り欠き部７８６ａと、逃がし用切り欠き部７８６ｂと、が設けられている。また、本体部７８６の上下方向中間部から下端部側に至る部位には、逃がし用孔７８６ｃが設けられている。
【０１６４】
受圧用切り欠き部７８６ａは、上下に長い矩形の開口形状を備えつつ、本体部７８６の前端面に近接した位置に設けられている。また、受圧用切り欠き部７８６ａは、本体部７８６の左右の側面部を貫通すると共に、本体部７８６の前端面で開口している。そして、本体部７８６において、この受圧用切り欠き部７８６ａの下縁部を構成する部位によって、「第２の受圧部Ｊ２」の具体例を構成する。尚、受圧用切り欠き部７７５の上下方向に沿った幅は、「側板部７１５の第１の操作孔７１５ｍ」の上下方向に沿った幅の約半分とされている。
【０１６５】
逃がし用切り欠き部７８６ｂは、受圧用切り欠き部７８６ａの下方側において、受圧用切り欠き部７８６ａと連続する状態に設けられている。この逃がし用切り欠き部７８６ｂは、上下に長い開口形状を備えつつ、本体部７８６の前端面に近接した位置に設けられている。また、逃がし用切り欠き部７８６ｂは、本体部７８６の左右の側面部を貫通すると共に、本体部７８６の前端面で開口している。尚、逃がし用切り欠き部７８６ｂの上下方向に沿った幅は、受圧用切り欠き部７８６ａの上下方向に沿った幅と略等しくされているが、逃がし用切り欠き部７８６ｂの前後方向に沿った幅は、受圧用切り欠き部７８６ａの前後方向に沿った幅よりも小さくされている。
【０１６６】
逃がし用孔７８６ｃは、上下に長い開口形状を備えつつ、本体部７８６の「前後方向中間部」において、本体部７８６の左右の側面部を貫通する状態に設けられている。この逃がし用孔７８６ｃの開口部のサイズは、「側板部７１５の第２の操作孔７１５ｎ」の開口部のサイズよりも大きくされている。つまり、逃がし用孔７８６ｃは第２の操作孔７１５ｎに比べて、上下及び前後方向に沿った幅が大きくされている。尚、逃がし用孔７８６ｃの前端縁７８６ｇは、後方に向かって下り傾斜となる経路を描いている。
【０１６７】
本体部７８６の後端面からは、左側方に向かって、バネ係止部７８６ｅが突出している。そして、図２０及び図２１に示すように、このバネ係止部７８６ｅと、基板部７１１のバネ係止部７１１ｇとの間には、第１のコイルバネＢ１が装着され、バネ係止部７８６ｅをバネ係止部７１１ｇの方向に引き寄せるような付勢力が加えられる。つまり、第１のコイルバネＢ１は、請求項１の発明の「付勢手段」の具体例を構成するものであり、第１のコイルバネＢ１は、本体部７８６（動作選択部７８５）の姿勢が、基本姿勢となるように本体部７８６（動作選択部７８５）を付勢している。尚、図１０、図１２、及び図１８においては、第１のコイルバネＢ１の図示を省略している。
【０１６８】
尚、本体部７８６（動作選択部７８５）に、第１のコイルバネＢ１の付勢力が負荷され、本体部７８６（動作選択部７８５）の姿勢が基本姿勢となると、バネ係止部７８６ｅが、側板部７１５の後端面７１５ｘに対して、その後方から当接する。このため、本体部７８６（動作選択部７８５）が、それ以上、前方に傾動し、前傾姿勢となることが防止される。つまり、バネ係止部７８６ｅは、本体部７８６（動作選択部７８５）の姿勢を基本姿勢に維持するため（前傾姿勢としないための）の「ストッパー」としても機能することになる。」
【０１６９】
規制用突出部７８７は、図１９に示すように、本体部７８６と一体の金属板で構成されると共に、略円弧状の外形を備えている。また、規制用突出部７８７は、下方の「第１の係合部」の右側方に配置されている｛図２７（ａ）を参照｝。また、規制用突出部７８７の突端部７８７ａには、面取りが施されている。そして、本体部７８６（動作選択部７８５）の姿勢が基本姿勢となると、規制用突出部７８７は、基板部７１１の前面部７１１ａよりも前方に突出する。そして、本体部７８６（動作選択部７８５）の姿勢が傾動姿勢に変更されると、規制用突出部７８７の「基板部７１１の前面部７１１ａ」からの突出量がわずかなものとされる。
【０１７０】
図３２に示すように、第４の可動体７８０に操作力が負荷されていない場合、第２のコイルバネＢ２の付勢力によって、第４の可動体７８０の動作位置は上限位置とされる（図１７を参照）。このとき、動作選択部７８５の姿勢が基本姿勢であれば、第２の受圧部Ｊ２（受圧用切り欠き部７８６ａの下縁部）は、第１の操作孔７１５ｍの上下方向中間位置に配置される。また、第２の受圧部Ｊ２と、第１の受圧部Ｊ１とが、前後方向に位置合わせされる。
【０１７１】
一方、図２９に示すように、第４の可動体７８０に操作力が負荷されておらず、しかも、動作選択部７８５の姿勢が傾動姿勢である場合においては、第２の受圧部Ｊ２（受圧用切り欠き部７８６ａの下縁部）も、後方に傾動し、第１の操作孔７１５ｍと前後に位置合わせすることはできなくなる（図３０を参照）。換言すると、第２の受圧部Ｊ２の位置が退避位置に位置変更され、第２の受圧部Ｊ２（受圧用切り欠き部７８６ａの下縁部）と、第１の受圧部Ｊ１とを、前後方向に位置合わせすることができなくなる。
【０１７２】
また、動作選択部７８５の姿勢が基本姿勢に戻されると、動作選択部７８５に操作力が加わり、動作選択部７８５が下方に押し下げられると、第４の可動体７８０全体が、第２のコイルバネＢ２の付勢力に対抗して下方に引き下げられ、第４の可動体７８０の動作位置が下限位置の方向に向かって変化する（図３３を参照）。
【０１７３】
錠部材８００は、所謂、シリンダ錠であり、図２０に示すように、錠本体８０１と、押圧部材８０２と、を備えている。このうち、錠本体８０１は、ステー８０３を用いて基板部７１１に装着されている。つまり、錠本体８０１は、その後端部を取付孔７１１ｆを通じて基板部７１１の後方に到達させ、中間部及び前端部を、基板部７１１の前面部７１１ａの前方に突出させた状態で、基板部７１１に装着されている。また、錠本体８０１の前端部では鉤孔（図示を省略）が露呈し、錠本体８０１には錠軸８０１ａが配置されいる。そして、鉤孔に鉤８０５を差し込んで、この鉤８０５を所定の回転方向に操作すると、錠軸８０１ａが、同一方向に回転するものとされている。尚、鉤８０５は、操作部材の具体例を構成している。
【０１７４】
押圧部材８０２は、錠軸８０１ａに一体化され、錠軸８０１ａと一体で回転可能とされている。この押圧部材８０２は、後方から観察して、略Ｖ字状のカム板を用いて構成されている。この押圧部材８０２には、略扇形状に構成され、錠軸８０１ａの後端部に一体回動可能な状態で固定された中央部８０２ａと、略舌片状とされつつ、斜め左上方に向かって突出する「第１の押圧突起８０２ｂ」と、略舌片状とされつつ、斜め左下方に向かって突出する「第２の押圧突起８０２ｃ」と、を備えている。
【０１７５】
第１の押圧突起８０２ｂは、中央部８０２ａから直接、突出し、第２の押圧突起８０２ｃは、中央部８０２ａから後方に突出する中間突出部８０２ｄを介して、突出している。このため、第１の押圧突起８０２ｂは、基板部７１１に近接する位置において、基板部７１１の裏面部と平行な状態となり、第２の押圧突起８０２ｃは、基板部７１１と離間する位置において、基板部７１１の裏面部と平行な状態となっている。
【０１７６】
施錠装置７００に操作が施されていない状態では、第１の押圧突起８０２ｂの突端部が、受圧用切り欠き部７７５に挿入され、第２の押圧突起８０２ｃの突端部が、受圧孔７７６に挿入される。
【０１７７】
（３）施錠装置の使用方法
ａ．外枠の施錠方法
中枠３が外枠２に対して開放状態にある場合、中枠３を外枠２に対して閉鎖状態にすれば、中枠３が外枠２に施錠される。つまり、中枠３を開放状態から閉鎖状態に変化させる途中に、上方の「第３の被係合部Ｌ３」は、第１の可動鉤部材７２０の導入部７２６の上端面を摺動し、下方の「第３の被係合部Ｌ３」は、第２の可動鉤部材７２１の導入部７２６の上端面を摺動する。このとき、導入部７２６の上端面が、各可動鉤部材７２０、７２１の後端部に向かうに従って下り傾斜となる「下り傾斜面」となっているため、第３の被係合部Ｌ３が係合本体部７２５に近接するに従って、各可動鉤部材７２０、７２１の開放量が増加する。
【０１７８】
つまり、図２２に示すように、各可動鉤部材７２０、７２１が、回動支点部７２２を支点に時計回転方向（右側方から観察して）に回転して、係合本体部７２５の方向に「第３の被係合部Ｌ３」を受け入れる。そして、各第３の被係合部Ｌ３が、導入部７２６を完全に通過し、対応する係合本体部７２５に到達すると、各可動鉤部材７２０、７２１は、対応するコイルバネＢ２、Ｂ３の付勢力を利用し、回動支点部７２２を支点に反時計回転方向（右側方から観察して）に回転して、「施錠実行状態」となる。尚、中枠３が外枠２に対して施錠状態とする際には、図２２に示すように、各可動鉤部材７２０、７２１は単独で回動動作（第２の可動部材７６０及び第２可動部材７７０の駆動とは無関係な回動動作、つまり、第２の可動部材７６０及び第２可動部材７７０を上昇させないで行う回動動作）を実行する。
【０１７９】
ｂ．前面枠の施錠方法
前面枠４が中枠３に対して開放状態にある場合、前面枠４を中枠３に対して閉鎖状態にすれば、前面枠４が中枠に施錠される。つまり、図２６に示すように、前面枠４を開放状態から閉鎖状態に変化させる途中に、上方の「第１の被係合部Ｌ１」は、上方の「第１の係合用フック部７５６」の導入部７５６ｂの上端面に摺動し、下方の「第１の被係合部Ｌ１」は、下方の「第１の係合用フック部７５６」の導入部７５６ｂの上端面を摺動する。
【０１８０】
このとき、導入部７５６ｂの上端面は、各「第１の係合用フック部７５６」の後端部に向かうに従って下り傾斜となる「下り傾斜面」とれているため、各「第１の被係合部Ｌ１」が対応する係合本体部７５６ａに近づくに従って、下方への移動量が多くなる。そして、各「第１の被係合部Ｌ１」が対応する係合本体部７５６ａに係合本体部７５６ａに到達したところで、各「第１の係合用フック部７５６」は上限位置に戻され、前面枠４が中枠３に対して施錠された状態となる。
【０１８１】
ｃ．受皿扉部材の施錠方法
受皿扉部材５が中枠３に対して開放状態にある場合、受皿扉部材５を中枠３に対して閉鎖状態にすれば、受皿扉部材５が中枠に施錠される。つまり、受皿扉部材５を開放状態から閉鎖状態に変化させる途中に、上方の「第２の被係合部Ｌ２」は、上方の「第２の係合用フック部７８３」の導入部７８３ｂ上端面を摺動し、下方の「第２の被係合部Ｌ２」は、下方の「第２の係合用フック部７８３」の導入部７８３ｂ上端面に摺動する。
【０１８２】
このとき、導入部７８３ｂの上端面は、図２５に示すように、各「第２の係合用フック部７８３」の後端部に向かうに従って下り傾斜となる「下り傾斜面」とされているため、各「第２の被係合部Ｌ２」が対応する係合本体部７８３ａに近づくに従って、下方への移動量が多くなる（図２５の破線を参照）。そして、各「第２の被係合部Ｌ２」が対応する係合本体部７５６ａに係合本体部７５６ａに到達したところで、各「第２の係合用フック部７８３」は上限位置に戻され、受皿扉部材５が中枠３に対して施錠された状態となる。
【０１８３】
ｄ．外枠の解錠方法
中枠３が外枠２に対して施錠状態にあるときには、鉤孔に差し込んだ鉤８０５を、右回転方向に操作し、図２８に示すように、錠軸８０１ａ及び押圧部材８０２を右回転方向に動作させると（約１／６回転させると）、第２の押圧突起８０２ｃが、第３の受圧部Ｊ３を上方に押圧するため、第３の可動体７７０及び第２の可動体７６０が上方に移動する。この上方への移動を、例えば、伝達用突起７６６の高さ位置に着目して説明すると、以下のようになる。つまり、動作前に、「Ａ１の高さ位置」にあった伝達用突起７６６（図１５を参照）は、動作後に、「Ａ３の高さ位置」に上昇（上昇量Ｄ３）する（図２８を参照）。
【０１８４】
第３の可動体７７０及び第２の可動体７６０が上方への移動により、第２の可動体７６０の「上部操作部位７６２ｂ」が、「第１の可動鉤部材７２０に装着された操作ピン７２７の軸部」を押し上げ、第３の可動体７７０の「下部操作部位７７３ｂ」が、第２の可動鉤部材７２１に装着された操作ピン７２７の軸部」を押し上げる（図２３を参照）。このため、中枠３の外枠２に対する施錠が解錠される。
【０１８５】
ｅ．前面枠（ガラス扉枠）の解錠方法
図２９に示すように、前面枠４及び受皿扉部材５が中枠３に対して施錠されているときには、規制用突出部７８７が、閉鎖状態とされた前面枠４の規制用部材（下方の係合突起４５）によって後方押圧される。このため、本体部７８６（動作選択部７８５）が傾動姿勢となり、第２の受圧部Ｊ２の位置が退避位置とされる。この状態にあるときに、鉤孔に差し込んだ鉤８０５を、左回転方向に操作し、錠軸８０１ａ及び押圧部材８０２を左回転方向に動作させる（約１／６回転させると）。このとき、第２の受圧部Ｊ２の位置が退避位置とされるため、第１の押圧突起８０２ｂは、第１の受圧部Ｊ１を下方に押圧するが、第２の受圧部Ｊ２を下方に押圧することができない（図３０を参照）。そして、図３１に示すように、第１の受圧部Ｊ１が下方に押圧されることにより、第３の可動体７７０及び第２の可動体７６０を介して、第１の可動体７５０が下方に押圧されるため、第１の可動体７５０は、第３の可動体７７０及び第２の可動体７６０と共に下方に移動する。
【０１８６】
以上の第１の可動体７５０、第３の可動体７７０及び第２の可動体７６０の挙動を、例えば、伝達用突起７６６及び支持ピンＱの高さ位置に着目して説明すると、以下のようになる。つまり、動作前に、「Ａ１の高さ位置」にあった伝達用突起７６６（図３０を参照）は、動作後に、「Ａ２の高さ位置」に下降（下降量Ｄ１）する（図３１を参照）。ところが、動作前に、「Ｆ１の高さ位」置にあった支持ピンＱ（図３０を参照）は、動作後も、「Ｆ１の高さ位置」に維持される。つまり、第４の可動体７８０の位置は、上限位置に保たれるため、前面枠４の中枠３に対する施錠は解除されるが、受皿扉部材５の中枠３に対する施錠は維持される。
【０１８７】
ｆ．受皿扉部材の解錠方法
先ず、図３２に示すように、前面枠４の中枠３に対する施錠を解除し、前面枠４を開放状態（中枠３に対する開放状態）とする。このように、前面枠４が開放状態とされると、「規制用突出部７８７に対する規制用部材（下方の係合突起４５）による押圧」が解除されるため、本体部７８６（動作選択部７８５）の姿勢は基本動姿勢に戻される。このとき、図３３に示すように、第２の受圧部Ｊ２が、第１の受圧部Ｊ１及び「第１の操作孔７１５ｍ」に対して、横方向に位置合わせされる。そして、この状態にあるときに、鉤孔に差し込んだ鉤８０５を、左回転方向に操作し、錠軸８０１ａ及び押圧部材８０２を左回転方向に動作させると（約１／６回転させると）、第１の押圧突起８０２ｂは、第１の受圧部Ｊ１と共に第２の受圧部Ｊ２を下方に押圧することができる。
【０１８８】
以上の第１の可動体７５０、第３の可動体７７０及び第２の可動体７６０の挙動を、例えば、伝達用突起７６６及び支持ピンＱの高さ位置に着目して説明すると、以下のようになる。つまり、動作前に、「Ａ１の高さ位置」にあった伝達用突起７６６は、動作後に、「Ａ２の高さ位置」に下降（下降量Ｄ１）する（図３３を参照）。同時に、動作前に、「Ｆ１の高さ位」置にあった支持ピンＱは、動作後に「Ｆ３の高さ位置」に下降する（下降量Ｄ１）。このように、第４の可動体７８０の位置が下方に移動するため、受皿扉部材５の中枠３に対する施錠が解除される。
【０１８９】
（４）実施例の効果
本実施例の施錠装置７００では、前面枠（ガラス扉枠）４及び受皿扉部材５が中枠３に施錠されると、動作選択部７８５の姿勢が傾動姿勢に変更され、第２の受圧部Ｊ２の位置が退避位置に変更される。このため、錠部材８００に対して、「前面枠（ガラス扉枠）４の施錠を解除するための解錠操作」を施すことは可能であるが、「受皿扉部材５の施錠を解除するための解錠操作」を施すことは不可能とされる。つまり、錠軸８０１ａを左回転方向に回転させ、押圧部材８０２を左回転方向に動作させると、第１の係合部Ｋ１の第１の被係合部Ｌ１への係合を解除することができるが、第２の係合部Ｋ２の第２の被係合部Ｌ２への係合を解除することはできない。
【０１９０】
一方、前面枠（ガラス扉枠）４の施錠を解除し、前面枠（ガラス扉枠）４を開放状態とすると、規制用部材（下方の第２の係合部Ｋ２）が、動作選択部７８５から離間するため、第１のコイルバネＢ１の付勢力を用いて、動作選択部７８５の姿勢が基本姿勢に戻される。このため、錠軸８０１ａを、再び、左回転方向に回転させ、押圧部材８０２を左回転方向に動作させると、第２の係合部Ｋ２の第２の被係合部Ｌ２への係合を解除することができるようになる。
【０１９１】
つまり、前面枠（ガラス扉枠）４及び受皿扉部材５が中枠３に施錠された状態にある場合、錠部材８００に所定の操作を施すと、受皿扉部材５の施錠を維持した状態で、前面枠（ガラス扉枠）４の施錠を解除することができる。一方、前面枠（ガラス扉枠）４の施錠を解除し、前面枠（ガラス扉枠）４を開放状態とした後に、錠部材８００に同様な操作（前面枠４の施錠を解除する際の操作と同様な操作）を施すと、受皿扉部材５の施錠を解除することができる。
【０１９２】
このように、本実施例の施錠装置７００では、「同一の錠部材８００に対して施す同様な操作」によって、前面枠（ガラス扉枠）４の施錠の解除と、受皿扉部材５の施錠の解除とを順次、を行うことができる。このため、前面枠（ガラス扉枠）４の解錠操作と、受皿扉部材５の解錠操作とを円滑に実行することができる。また、本実施例の施錠装置７００では、遊技機１にとって、機能上必要とされる「前面枠（ガラス扉枠）４に装着される規制部材（下方の係合突起４５）」を、「受皿扉部材５の解錠を規制するための部材」として利用する。しかも、単に、「前面枠（ガラス扉枠）４」を開放状態とするだけで、「受皿扉部材５の解錠規制」が解除される。よって、本実施例によると、より簡易な構成と、操作性とを備える施錠装置８００が得られる。
【０１９３】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。即ち、複数の実施例の特徴を兼ね備える変形例を例示することもできる。
【０１９４】
つまり、本実施例と異なり、前面枠（ガラス扉枠）４及び受皿扉部材５が中枠３に施錠されると、第２の係合部Ｋ２の第２の被係合部Ｌ２への係合を解除することができるが、第１の係合部Ｋ１の第１の被係合部Ｌ１への係合を解除することができないこととしてもよい。また、本実施例の動作選択部７８５では、回動支点部の上方側部分に対して、受圧部を設け、この上方側部分を後方に傾動する態様」を例示したが、「回動支点部の下方側部分に対して、受圧部を設け、この下方側部分を後方に傾動する態様」であってもよい。
【０１９５】
上記した各実施例や各変形例の形態では、図柄制御部１６０を音声・ランプ制御部１７０の制御下で用いる態様を説明した。即ち、図柄制御部１６０を、主制御部１４０の２次側（下流）にある音声・ランプ制御部１７０を介して、主制御部１４０の２次側（下流）に接続する設ける態様を例示したが、図柄制御部１６０を音声・ランプ制御部１７０よりも１次側（上流側）に配置することもできる。
【０１９６】
つまり、主制御部１４０の２次側（下流）に所定の伝送経路５００ａを用いて図柄制御部１６０を接続し、図柄制御部１６０の２次側に所定の伝送経路５００ｂを用いて音声・ランプ制御部１７０を接続する。そして、音声・ランプ制御部１７０の２次側（下流）に所定の伝送経路を用いて、液晶柄表示装置２７を接続してもよい。
【０１９７】
また、上記した各実施例や各変形例の形態では、液晶表示装置２７での図柄（本図柄、疑似図柄、背景図柄、キャラクタ図柄等）や保留数の表示制御、及び普通図柄表示装置３２での普通図柄の表示制御を図柄表示部１６０で行うものとしていたが、このうち、液晶表示装置２７における本図柄と保留数の表示制御と、普通図柄表示装置３２における普通図柄の表示制御とを主制御部１４０で行い、液晶表示装置２７における疑似図柄や背景図柄やキャラクタ図柄等の演出専用図柄の表示制御のみを図柄表示部１６０で行うようにしても良い。
【産業上の利用可能性】
【０１９８】
本発明は、遊技機を製造、販売等する分野において利用できる。
【図面の簡単な説明】
【０１９９】
【図１】本発明の実施例に係る遊技機を示す正面図である。
【図２】本発明の実施例に係る遊技機において、遊技機本体と外枠を説明するための説明図である。
【図３】本発明の実施例に係る遊技機において、前面枠及び受皿扉部材が開いた状態を示す模式的な斜視図である。
【図４】本発明の実施例に係る遊技機において、前面枠を外した状態の模式的な正面図である。
【図５】本発明の実施例に係る遊技機において、前面枠が開いた状態を示す説明図である。
【図６】（ａ）は受皿扉部材の模式的な背面図であり、（ｂ）は受皿扉部材の模式的な縦断面である。
【図７】本発明の実施例に係る遊技機において、遊技盤を示す正面図である。
【図８】本発明の実施例に係る遊技機を示す裏面図である。
【図９】本発明の実施例に係る電子制御装置を示すブロック図である。
【図１０】本発明の実施例に係る施錠装置（錠部材を除く）の側面図である。
【図１１】本発明の実施例に係る施錠装置（錠部材を除く）の正面図である。
【図１２】本発明の実施例に係る施錠装置（錠部材を除く）の背面図である。
【図１３】本発明の実施例に係る施錠装置の取付状態を説明するための横断面図である。
【図１４】本発明の実施例に係る施錠装置（錠部材を除く）の概略的な縦面図（第１の受圧部及び第２の受圧部を縦断する態様）である。
【図１５】本発明の実施例に係る施錠装置（錠部材を除く）の概略的な縦面図（第３の受圧部を縦断する態様）である。
【図１６】本発明の実施例に係る施錠装置（錠部材を除く）の概略的な縦面図である。
【図１７】本発明の実施例に係る施錠装置（錠部材を除く）の概略的な縦面図（第１の受圧部及び第２の受圧部を縦断する態様）である。
【図１８】本発明の実施例に係る施錠装置の説明図である。
【図１９】本発明の実施例に係る施錠装置の説明図である。
【図２０】本発明の実施例に係る施錠装置を構成する錠部材の斜視図である。
【図２１】本発明の実施例に係る施錠装置において付勢手段（第１のコイルスプリング）の機能を説明するための説明図である。
【図２２】（ａ）は本発明の実施例に係る施錠装置において可動鉤部材の機能を説明するための説明図であり、（ｂ）は図２２（ａ）のａ−ａ断面図である。
【図２３】本発明の実施例に係る施錠装置において可動鉤部材の機能を説明するための説明図である。
【図２４】（ａ）及び（ｂ）は、本発明の実施例に係る施錠装置において第２のコイルスプリングの機能等を説明するための説明図である。
【図２５】本発明の実施例に係る施錠装置を構成する「第２の係合部」等を説明するための説明図である。
【図２６】本発明の実施例に係る施錠装置を構成する「第１の係合部」等を説明するための説明図である。
【図２７】本発明の実施例に係る施錠装置を構成する「第１の係合部」等を説明するための説明図である。
【図２８】本発明の実施例に係る施錠装置の動作を説明するための縦断面図である。
【図２９】動作選択部の機能等を説明するための縦断面図である。
【図３０】本発明の実施例に係る施錠装置の動作を説明するための縦断面図である。
【図３１】本発明の実施例に係る施錠装置の動作を説明するための縦断面図である。
【図３２】動作選択部の機能等を説明するための縦断面図である。
【図３３】本発明の実施例に係る施錠装置の動作を説明するための縦断面図である。
【符号の説明】
【０２００】
１；遊技機、
２；外枠、
３；中枠、
４；前面枠（ガラス扉枠）、
５；受皿扉部材、
１０；遊技盤、
１１；遊技領域、
７００；施錠装置、
７１０；支持体
７５０；第１の可動体、
７６０；第２の可動体、
７７０；第３の可動体、
７８０；第４の可動体（第１の錠操作伝達部）、
７８５；動作選択部、
７５０、７６０、及び７７０；第１の錠操作伝達部、
７６０及び７７０；錠操作中継部、
Ｋ１：第１の係合部
下方に位置するＫ１；規制用部材、
Ｋ２：第２の係合部、
Ｋ３：第３の係合部、
Ｌ１：第１の被係合部、
Ｌ２：第２の被係合部、
Ｌ３：第３の被係合部、
Ｊ１；第１の受圧部、
Ｊ２；第２の受圧部、
Ｊ３；第３の受圧部。
【図１】
0004482768.tif 000002
【図２】
0004482768.tif 000003
【図３】
0004482768.tif 000004
【図４】
0004482768.tif 000005
【図５】
0004482768.tif 000006
【図６】
0004482768.tif 000007
【図７】
0004482768.tif 000008
【図８】
0004482768.tif 000009
【図９】
0004482768.tif 000010
【図１０】
0004482768.tif 000011
【図１１】
0004482768.tif 000012
【図１２】
0004482768.tif 000013
【図１３】
0004482768.tif 000014
【図１４】
0004482768.tif 000015
【図１５】
0004482768.tif 000016
【図１６】
0004482768.tif 000017
【図１７】
0004482768.tif 000018
【図１８】
0004482768.tif 000019
【図１９】
0004482768.tif 000020
【図２０】
0004482768.tif 000021
【図２１】
0004482768.tif 000022
【図２２】
0004482768.tif 000023
【図２３】
0004482768.tif 000024
【図２４】
0004482768.tif 000025
【図２５】
0004482768.tif 000026
【図２６】
0004482768.tif 000027
【図２７】
0004482768.tif 000028
【図２８】
0004482768.tif 000029
【図２９】
0004482768.tif 000030
【図３０】
0004482768.tif 000031
【図３１】
0004482768.tif 000032
【図３２】
0004482768.tif 000033
【図３３】
0004482768.tif 000034